(57)【要約】【課題】低コスト化、小型化及び製造工程の簡単化を図ることができる発光構造物を提供することを目的とする。【解決手段】本発明は、基板上に複数の発光素子２０３を備えた発光素子ユニット２００と、前記発光素子ユニット２００と略平行に配置され、前記発光素子２０３からの出射光を導光して別位置から出射するとともに、前記発光素子ユニットに対する垂直な軸を中心として回転可能に配置された導光体ユニット１００と、前記発光素子ユニット２００を、前記導光体ユニット１００の回転に対して、所定範囲まで追随して回転させた後、回転前の位置に戻す動作を繰り返させる回転制御ユニット３００と、からなり、前記導光体ユニット１００は、一端が前記発光素子２０３に対向可能な位置に配置され、他端から前記発光素子２０３の光を放射可能な長尺状の導光体１０１を複数備える、発光構造物１を提供する。【選択図】図２
2011249066.tif 000002
【特許請求の範囲】
【請求項１】
基板上に複数の発光素子を備えた発光素子ユニットと、
前記発光素子ユニットと略平行に配置され、前記発光素子からの出射光を導光して別位置から出射するとともに、前記発光素子ユニットに対する垂直な軸を中心として回転可能に配置された導光体ユニットと、
前記発光素子ユニットを、前記導光体ユニットの回転に対して、所定範囲まで追随して回転させた後、回転前の位置に戻す動作を繰り返させる回転制御ユニットと、からなり、
前記導光体ユニットは、一端が前記発光素子に対向可能な位置に配置され、他端から前記発光素子の光を放射可能な長尺状の導光体を複数備える、発光構造物。
【請求項２】
前記回転制御ユニットは、
回転の駆動力を供給する駆動ユニットからの駆動を受けて回転するシャフトと、
互いに固定されることで前記発光素子ユニットを支持し、開口部からなるスライダーピン固定穴が形成されている支持部材と、
前記スライダーピン固定穴に挿入されているスライダーピンと、
前記所定範囲内の一端及び他端の間で前記スライダーピンを案内する案内溝を有する固定部材と、
前記シャフトに係合されて前記シャフトの回転とともに回転し、前記スライダーピンが抜き差しされる少なくとも１のスライダーピン挿入穴が形成されている回転穴付き板と、
前記スライダーピンが前記スライダーピン挿入穴から外れると、前記スライダーピンを前記所定範囲内の一端に対応する位置に復帰させることで、前記発光素子ユニットを前記回転前の位置に戻す復帰部材と、
を含み、
前記導光体ユニットは、前記シャフトに係合されて前記シャフトの回転とともに回転し、
前記スライダーピンは、前記案内溝に案内されることにより前記所定範囲の一端から他端に到達するまでの間は前記スライダーピン挿入穴に挿入されて、前記回転穴付き板の回転とともに移動し、且つ前記所定範囲の他端に到達すると前記スライダーピン挿入穴から外れて、前記復帰部材により前記所定範囲の一端に戻る、請求項１に記載の発光構造物。
【請求項３】
前記案内溝は、他端部が一端部よりも深く形成されており、
前記スライダーピンは、前記所定範囲の一端では、前記案内溝の一端部に位置して前記スライダーピン挿入穴に挿入され、前記所定範囲の他端では、前記案内溝の他端部に位置して前記他端部の深さに応じて押し下げられることで前記スライダーピン挿入穴から外れる、請求項２記載の発光構造物。
【請求項４】
前記回転制御ユニットは、前記案内溝の高低差に沿って前記スライダーピンを移動させるために、前記スライダーピンを前記案内溝に接触するように押圧するスライダーピン用バネをさらに含み、
前記スライダーピンは、前記案内溝に当接されている案内溝スライド部と、前記スライダーピン挿入穴に対して抜き差しされる挿入先端部と、前記案内溝スライド部及び前記挿入先端部の間に前記スライダーピンの壁面から突出して形成され、前記スライダーピン用バネを係止する突出周縁部と、を含む、請求項２又は３に記載の発光構造物。
【請求項５】
前記固定部材には、少なくとも１の回転規制部材が突出して形成されており、
前記支持部材には、前記回転規制部材が挿入されている回転規制溝が形成されており、
前記回転規制溝の一端部及び他端部に前記回転規制部材が当接することで、前記支持部材の回転が前記所定範囲内に規制され、前記発光素子ユニットの回転が前記所定範囲内に規制される、請求項２に記載の発光構造物。
【請求項６】
前記発光素子には、前記導光体ユニットの回転位置を検出するための光を出射する位置検出用発光素子が含まれ、
前記発光素子ユニットは、前記位置検出用発光素子からの光を受光する位置検出用受光素子をさらに含み、
前記導光体には、前記位置検出用発光素子が出射する光を前記位置検出用受光素子に導く位置検出用導光体が含まれる、請求項１〜５に記載の発光構造物。
【請求項７】
前記複数の導光体の先端の位置を、前記導光体ユニットの回転中心に対する半径方向お及び／又は高さ方向において異ならせる、請求項１〜６に記載の発光構造物。
【発明の詳細な説明】
【技術分野】
【０００１】
本発明は、光による電飾を行う発光構造物に関する。
【背景技術】
【０００２】
従来、光による電飾を行う構造物として、ＬＥＤ（light Emitting Diode）などの発光素子を回転させ、光の残像効果を利用して電飾を行う構造物がある。例えば、砲弾型ＬＥＤを複数個用い、砲弾型ＬＥＤのリードと電源を供給するハーネスとを接続して所定のフレームに固定してフレームを回転させるといった構造のものがある。この構造では、フレームの回転に伴いハーネスが捩れるのを回避するために、一般的にはスリップリングが採用されている。
【発明の概要】
【発明が解決しようとする課題】
【０００３】
しかしながら、スリップリングは一般的に高価であり、スリップリングを備えることで構造物のコストが増加する。また、スリップリング構造とすることで部品数が増加し、構造物の小型化及び製造工程の簡単化を達成することができない。
【０００４】
そこで、本発明は、低コスト化、小型化及び製造工程の簡単化を図ることができる発光構造物を提供することを目的とする。
【課題を解決するための手段】
【０００５】
発明１は、基板上に複数の発光素子を備えた発光素子ユニットと、前記発光素子ユニットと略平行に配置され、前記発光素子からの出射光を導光して別位置から出射するとともに、前記発光素子ユニットに対する垂直な軸を中心として回転可能に配置された導光体ユニットと、前記発光素子ユニットを、前記導光体ユニットの回転に対して、所定範囲まで追随して回転させた後、回転前の位置に戻す動作を繰り返させる回転制御ユニットと、からなり、前記導光体ユニットは、一端が前記発光素子に対向可能な位置に配置され、他端から前記発光素子の光を放射可能な長尺状の導光体を複数備える、発光構造物を提供する。
【０００６】
上記発光構造物では、導光体の一端は発光素子に対応して設けられており、発光素子ユニット及び導光体ユニットが回転することで、導光体の他端に導かれた発光素子からの光も回転し、光の残像効果により光による電飾を行うことができる。このとき、導光体の太さを適宜設定することで、光輪の大きさも適宜設定することができる。
【０００７】
ここで、回転制御ユニットは、導光体ユニットの回転に対して、所定範囲まで追随するように発光素子ユニットを回転させ、その後、発光素子ユニットを回転前の位置まで戻す動作を繰り返す。発光素子ユニットが導光体ユニットの回転に対して追随して回転するとは、発光素子ユニット上のある一点とその一点に対応する導光体ユニット上の一点との位置関係が同程度の位置関係を維持するように、発光素子ユニット及び導光体ユニットが回転することを意味する。例えば、発光素子ユニットは、導光体ユニットの回転速度と同程度の回転速度で回転し、以下では、このような回転を回転が同期していると称する。
【０００８】
このように所定範囲内において発光素子ユニット及び導光体ユニットの回転を同期させることを繰り返すことで、発光素子の位置と導光体の一端の位置とをできるだけ対応させて、導光体が発光素子からの光を直接的に受光可能な時間を長くすることができる。よって、導光体の先端から出射される光の出射量が低下するのを抑制し、導光体の先端の回転により形成される光輪が途切れたり、電飾の発光強度が低下するのを抑制することができる。
【０００９】
また、回転制御ユニットは、発光素子ユニットを所定範囲まで回転させた後に回転前の位置まで戻すことで、発光素子ユニットの回転を所定範囲に規制する。そのため、発光素子ユニットに電源等を供給するための接続線が接続されている場合でも、発光素子ユニットの回転により接続線が捻れたり、回転軸に絡まってしまうことを抑制することができる。このような構成によれば、回転により接続線が絡まるのを防止するためのスリップリング構造が不要であり、部材数を減らして低コスト化、小型化及び製造工程の簡単化を図ることができる。
【００１０】
また、導光体は、発光素子とは非接触の状態で発光素子からの光を受光して光を先端に導くことができるため、発光素子ユニットと導光体ユニットとを非接触で構成することができる。よって、部材どうしの接触による摩耗が抑制され、発光構造物の寿命を長くすることができる。
【００１１】
さらに、導光体ユニットが電気的な連結のための接続線に接続されることなく光を受光する構成であるため、導光体ユニットの構造の自由度を容易に高めることができる。例えば、導光体ユニットを、導光体がそれぞれに備えられた内輪部材と外輪部材の２つの部材から構成し、内輪部材と外輪部材とで異なる回転方向とすることも可能である。
【００１２】
発明２は、発明１において、前記回転制御ユニットは、回転の駆動力を供給する駆動ユニットからの駆動を受けて回転するシャフトと、互いに固定されることで前記発光素子ユニットを支持し、開口部からなるスライダーピン固定穴が形成されている支持部材と、前記スライダーピン固定穴に挿入されているスライダーピンと、前記所定範囲内の一端及び他端の間で前記スライダーピンを案内する案内溝を有する固定部材と、前記シャフトに係合されて前記シャフトの回転とともに回転し、前記スライダーピンが抜き差しされる少なくとも１のスライダーピン挿入穴が形成されている回転穴付き板と、前記スライダーピンが前記スライダーピン挿入穴から外れると、前記スライダーピンを前記所定範囲内の一端に対応する位置に復帰させることで、前記発光素子ユニットを前記回転前の位置に戻す復帰部材と、を含む。
【００１３】
ここで、前記導光体ユニットは、前記シャフトに係合されて前記シャフトの回転とともに回転し、前記スライダーピンは、前記案内溝に案内されることにより前記所定範囲の一端から他端に到達するまでの間は前記スライダーピン挿入穴に挿入されて、前記回転穴付き板の回転とともに移動し、且つ前記所定範囲の他端に到達すると前記スライダーピン挿入穴から外れて、前記復帰部材により前記所定範囲の一端に戻る。
【００１４】
上記構成において、支持部材のスライダーピン固定穴にスライダーピンが挿入されることで支持部材とスライダーピンは互いに係合されている。また、支持部材と発光素子ユニットとは互いに固定されている。よって、スライダーピンの移動が所定範囲内に規制されると、支持部材の回転も所定範囲内に規制され、これに伴い、発光素子ユニットの回転も所定範囲内に規制されることになる。一方、導光体ユニット及び回転穴付き板はシャフトに係合されているため同期して回転しており、その回転の範囲は規制されていない。
【００１５】
より詳細に説明すると、スライダーピンは、回転穴付き板のスライダーピン挿入穴に挿入されたまま、所定範囲の一端から他端に到達するまで案内溝により案内される。よって、スライダーピンは、所定範囲の一端から他端に到達するまでの間は、回転穴付き板の回転に応じて移動する。ここで、前述の通り、スライダーピン、支持部材及び発光素子ユニットは互いに固定されているため、スライダーピンが回転穴付き板の回転に応じて所定範囲を移動すると、これに同期して支持部材及び発光素子ユニットも所定範囲内で回転する。さらに、回転穴付き板及び導光体ユニットはシャフトと係合されることで回転が同期しているため、結局、スライダーピンが回転穴付き板のスライダーピン挿入穴に挿入されており、所定範囲の一端から他端に到達するまでの間は、発光素子ユニット及び導光体ユニットの回転を同期させることができる。
【００１６】
一方、スライダーピンが所定範囲の他端に到達すると、案内溝は、回転穴付き板のスライダーピン挿入穴から外れるようにスライダーピンを案内する。よって、スライダーピンは、回転穴付き板との同期回転から解放される。ここで、スライダーピンがスライダーピン挿入穴から外れると、復帰部材は、スライダーピンを所定範囲内の一端に対応する位置に復帰させることで、発光素子ユニットを回転前の位置に戻す。この間、回転穴付き板及び導光体ユニットは、シャフトの回転に応じて回転し続けている。そのため、スライダーピンが回転穴付き板のスライダーピン挿入穴から外れている間は、発光素子ユニット及び導光体ユニットの回転は同期していない。スライダーピンは、所定範囲内の一端に復帰した後は、再び連続的に回転している回転穴付き板のいずれかのスライダーピン挿入穴に挿入され、前述の手順により発光素子ユニット及び導光体ユニットの回転を再び同期させることができる。
【００１７】
以上の通り、上記構成によれば、所定範囲内において発光素子ユニット及び導光体ユニットの回転を同期させることを繰り返すことで、導光体が発光素子からの光を直接的に受光可能な時間を長くして電飾の発光強度を維持しつつ、スリップリング構造を不要とすることができる。
【００１８】
発明３は、発明２において、前記案内溝は、他端部が一端部よりも深く形成されており、前記スライダーピンは、前記所定範囲の一端では、前記案内溝の一端部に位置して前記スライダーピン挿入穴に挿入され、前記所定範囲の他端では、前記案内溝の他端部に位置して前記他端部の深さに応じて押し下げられることで前記スライダーピン挿入穴から外れる。
【００１９】
上記構成によれば、案内溝の高低差を利用して構造的に、スライダーピンを回転穴付き板のスライダーピン挿入穴に対して抜き差しすることができる。よって、スライダーピンを押し下げするための駆動力が不要である。
【００２０】
発明４は、発明２又は３において、前記回転制御ユニットは、前記案内溝の高低差に沿って前記スライダーピンを移動させるために、前記スライダーピンを前記案内溝に接触するように押圧するスライダーピン用バネをさらに含み、前記スライダーピンは、前記案内溝に当接されている案内溝スライド部と、前記スライダーピン挿入穴に対して抜き差しされる挿入先端部と、前記案内溝スライド部及び前記挿入先端部の間に前記スライダーピンの壁面から突出して形成され、前記スライダーピン用バネを係止する突出周縁部と、を含む。
【００２１】
上記構成によれば、スライダーピンは、案内溝に沿って移動することで例えば上下方向に移動し、回転穴付き板のスライダーピン挿入穴に対して抜き差しされる。スライダーピン用バネにより案内溝に接触するようにスライダーピンを押圧することで、スライダーピンを案内溝の高低差に沿って安定的に移動させることができる。
【００２２】
発明５は、発明２において、前記固定部材には、少なくとも１の回転規制部材が突出して形成されており、前記支持部材には、前記回転規制部材が挿入されている回転規制溝が形成されており、前記回転規制溝の一端部及び他端部に前記回転規制部材が当接することで、前記支持部材の回転が前記所定範囲内に規制され、前記発光素子ユニットの回転が前記所定範囲内に規制される。
【００２３】
上記構成において、スライダーピンが所定範囲の一端に位置する場合、回転規制部材は回転規制溝の一端部に当接しており、スライダーピンが所定範囲の他端に位置する場合、回転規制部材は前記回転規制溝の他端部に当接している。このように固定部材上の回転規制部材が支持部材の回転規制溝の一端部及び他端部に当接することにより、支持部材の移動を確実に安定した状態で所定範囲内に規制でき、ひいては発光素子ユニットの移動も確実に所定範囲内に規制することができる。これにより、発光素子ユニットに電源等を供給するための接続線が接続されている場合でも、発光素子ユニットの回転により接続線が捻れたり、回転軸に絡まってしまうことを抑制することができる。
【００２４】
発明６は、発明１〜５のいずれかにおいて、前記発光素子には、前記導光体ユニットの回転位置を検出するための光を出射する位置検出用発光素子が含まれ、前記発光素子ユニットは、前記位置検出用発光素子からの光を受光する位置検出用受光素子をさらに含み、前記導光体には、前記位置検出用発光素子が出射する光を前記位置検出用受光素子に導く位置検出用導光体が含まれる。
【００２５】
上記構成において、発光素子ユニットには、位置検出用発光素子及び位置検出用受光素子が対で設けられている。発光素子ユニット及び導光体ユニットは回転しており、導光体ユニットの位置検出用導光体の両端が、発光素子ユニットの位置検出用発光素子及び位置検出用受光素子それぞれに対応する位置に到達すると、位置検出用受光素子が位置検出用発光素子からの光を受光する。位置検出用受光素子が位置検出用発光素子からの光を受光する位置を予め把握しておけば、位置検出用受光素子が光を受光したことに基づいて発光素子ユニット及び導光体ユニットの回転位置を特定することができる。
【００２６】
これにより、現在どの導光体がどの発光素子に対応して位置しているかを把握することができる。よって、発光素子の位置と導光体の位置とが一致するタイミングに合わせて発光素子の点灯タイミングを制御することで、電飾の色、電飾が形成する模様などを精度良く制御することができる。
【００２７】
発明７は、発明１〜６のいずれかにおいて、前記複数の導光体の先端の位置を、前記導光体ユニットの回転中心に対する半径方向お及び／又は高さ方向において異ならせる。
【００２８】
導光体の形状を様々に加工することで、複雑な電飾を行うことができる。例えば、回転中心に対する半径方向において導光体の先端の位置を異ならせて導光体ユニットを回転することで、残像効果により複数の同心円からなる光輪を形成することができる。また、高さ方向に導光体の先端の位置を異ならせることで、奥行きを有する立体的な光輪を形成することができる。
【発明の効果】
【００２９】
上記構成により、低コスト化、小型化及び製造工程の簡単化を図ることができる発光構造物を提供することができる。
【図面の簡単な説明】
【００３０】
【図１】実施形態例に係る発光構造物の斜視図。
【図２】図１の発光構造物の分解斜視図。
【図３】（ａ）は案内溝の深さの変化を示す断面図（１）であり、（ｂ）は案内溝の深さの変化を示す断面図（２）であり、（ｃ）は案内溝の深さの変化を示す断面図（３）である。
【図４】発光構造物の各部の回転の概要を説明する説明図。
【図５】（ａ）から（ｅ）は、各部の回転に沿って時系列的に発光構造物の正面図、側面図、及び斜視図を示す説明図である。
【図６】（ａ）は図５（ａ）の斜視図であり、（ｂ）は図５（ａ）の側面図であり、（ｃ）は（ｂ）のＡ−Ａ断面を導光体ユニット側から見たときの断面図であり、（ｄ）は（ｂ）のＢ−Ｂ断面を駆動ユニット側から見たときの断面図である。
【図７】（ａ）は図５（ｂ）の斜視図であり、（ｂ）は図５（ｂ）の側面図であり、（ｃ）は（ｂ）のＣ−Ｃ断面を導光体ユニット側から見たときの断面図であり、（ｄ）は（ｂ）のＤ−Ｄ断面を駆動ユニット側から見たときの断面図である。
【図８】（ａ）は図５（ｃ）の斜視図であり、（ｂ）は図５（ｃ）の側面図であり、（ｃ）は（ｂ）のＥ−Ｅ断面を導光体ユニット側から見たときの断面図であり、（ｄ）は（ｂ）のＦ−Ｆ断面を駆動ユニット側から見たときの断面図である。
【図９】（ａ）は図５（ｄ）の斜視図であり、（ｂ）は図５（ｄ）の側面図であり、（ｃ）は（ｂ）のＧ−Ｇ断面を導光体ユニット側から見たときの断面図であり、（ｄ）は（ｂ）のＨ−Ｈ断面を駆動ユニット側から見たときの断面図である。
【図１０】（ａ）は図５（ｅ）の斜視図であり、（ｂ）は図５（ｅ）の側面図であり、（ｃ）は（ｂ）のＩ−Ｉ断面を導光体ユニット側から見たときの断面図であり、（ｄ）は（ｂ）のＪ−Ｊ断面を駆動ユニット側から見たときの断面図である。
【図１１】（ａ）〜（ｅ）は、それぞれ図５（ａ）〜（ｅ）に対応して回転穴付き板の上下移動を示す説明図である。
【図１２】位置検出ユニットの構成図であり、図（ａ）は導光体支持部の正面図、（ｂ）は発光素子基板の正面図、（ｃ）は（ｂ）のＫ−Ｋでの断面図である。
【図１３】図１２の位置検出ユニットにおいて、位置検出用導光体、位置検出用発光素子及び位置検出用受光素子の関係を時系列に示す説明図。
【図１４】位置検出ユニットの別の構成図であり、図（ａ）は導光体支持部の正面図、（ｂ）は発光素子基板の正面図、（ｃ）は（ｂ）のＬ−Ｌでの断面図である。
【図１５】図１４の位置検出ユニットにおいて、位置検出用導光体、位置検出用発光素子及び位置検出用受光素子の関係を時系列に示す説明図。
【図１６】パチンコ遊技機の正面図。
【図１７】パチンコ遊技機のハードウェア構成の一例を示すブロック図。
【図１８】サブ制御基板１０Ｅと役物基板１０Ｆとの接続方法を示す説明図（１）。
【図１９】サブ制御基板１０Ｅと役物基板１０Ｆとの接続方法を示す説明図（２）。
【図２０】サブ制御基板１０Ｅと役物基板１０Ｆとの接続方法を示す説明図（３）。
【発明を実施するための形態】
【００３１】
＜実施形態例＞
本実施形態例の発光構造物は光によるあらゆる電飾に用いられる。以下に本実施形態について説明する。なお、下記において特に言及しない限り、回転方向は、発光構造物１を導光体ユニット１００側からみた場合の回転方向を記載している。
【００３２】
（１）発光構造物の構成
図１は実施形態例に係る発光構造物の斜視図であり、図２は図１の発光構造物の分解斜視図である。
【００３３】
発光構造物１は、導光体ユニット１００、発光素子ユニット２００、回転制御ユニット３００及び駆動ユニット４００を含む。以下に各ユニットについて説明する。
【００３４】
（１−１）発光素子ユニット
発光素子ユニット２００は、発光素子基板２０１、基板固定板２０２及び複数の発光素子２０３を含む。発光素子基板２０１は例えば円形状の平板であり、その中央部にはシャフト穴２０７が形成されている。シャフト穴２０７には後述のシャフト３３０が貫通しており、シャフト穴２０７とシャフト３３０とは係合されていない。複数の発光素子２０３は、発光素子基板２０１の導光体ユニット１００と対向する面上に、例えばシャフト穴２０７に対して放射状に配置されている。発光素子２０３は例えばＬＥＤであり、一の発光素子２０３は例えば単色のＬＥＤで構成されても良いし、単色のＬＥＤを複数個組み合わせて構成しても良い。本実施形態例では、ＲＧＢ３色の各ＬＥＤを組み合わせることで一の発光素子２０３が形成されているものとする。発光素子基板２０１には、電源及び各種制御信号等を伝達するためのハーネス４１０が接続されており、発光素子２０３は、ハーネス４１０が供給する電源及び各種制御信号等に基づいて発光が制御される。
【００３５】
基板固定板２０２は、例えば円形状の平板からなる上部と、円筒状の下部と、からなる。基板固定板２０２の上部は、発光素子基板２０１を下部から支持している。基板固定板２０２の円筒状の下部は、後述の回転穴付き板復帰バネ３０２が案内可能なように形成されている。発光素子基板２０１及び基板固定板２０２は、ネジ２０６ａ〜２０６ｃが、それぞれのねじ穴２０４ａ〜２０４ｃ及びねじ穴２０５ａ〜２０５ｃを介して、後述のネジ止め支柱３１４ａ〜３１４ｃにネジ止めされることで互いに固定されている。
【００３６】
（１−２）導光体ユニット
導光体ユニット１００は、発光素子ユニット２００に非接触の状態で対向するように配置されており、電飾用の複数の導光体１０１と、複数の導光体１０１を支持する導光体支持部１０２と、を備える。導光体支持部１０２は円柱状であり、その中央部には、シャフト穴１０３及びシャフト係止部１０４が形成されている。シャフト穴１０３にはシャフト３３０のシャフト本体３３２の一段目が挿入され、シャフト係止部１０４にはシャフト３３０のシャフト突出部３３１の一段目が挿入される。なお、シャフト３３０は、例えば図２に示されるように、先端の一段目と一段目に連続する二段目とで構成されており、一段目と二段目とでは直径が異なる。この状態で、シャフト３３０はネジ１０５によりネジ止めされ、シャフト３３０がシャフト穴１０３及びシャフト係止部１０４に係止される。よって、シャフト３３０が回転すると、導光体１０１及び導光体支持部１０２を含む導光体ユニット１００はシャフト３３０を中心として回転する。
【００３７】
複数の導光体１０１は長尺状であり、一端において発光素子２０３から出射される光を受光し、他端において受光した光を出射する。導光体１０１は例えば光ファイバからなる。導光体１０１の一端は、複数の発光素子２０３のいずれかと対向するように、導光体支持部１０２に設けられた複数の各貫通穴に挿入されて固定されている。導光体１０１の一端と発光素子２０３とが対向するとは、例えば、導光体１０１及び発光素子２０３が互いに回転している中で少なくとも所定時間の間において、少なくとも一の導光体１０１の一端が、発光素子２０３から光を受光可能なように配置されていることを意味する。好ましくは、所定時間の間において、発光素子２０３の直上に導光体１０１の一端が対応するように配置されている。また、本実施形態例では一の発光素子２０３は３色の各ＬＥＤから構成されているため、３色のＬＥＤからなる一の発光素子２０３に対して一の導光体１０１が対向するように配置されている。これにより、３色のＬＥＤをそれぞれ発色させ、あるいは、混色させることで導光体１０１の他端から様々な色の光を出射することができる。ただし、一のＬＥＤからなる一の発光素子２０３と一の導光体１０１とが対向するように配置されていても良いし、２個以上のＬＥＤからなる一の発光素子２０３と一の導光体１０１とが対向するように配置されていても良い。
【００３８】
一方、導光体１０１の他端は、導光体支持部１０２から突出している。導光体１０１の他端は、導光体支持部１０２から上方に直立して突出するか、あるいは、屈曲して突出している。例えば、図１及び図２に示すように複数の導光体１０１は、導光体支持部１０２の回転中心に対して、複数の導光体１０１の他端の方向が異なる。また、各導光体１０１の他端は、導光体支持部１０２の回転中心に対する半径方向の距離及び／又は導光体支持部１０２の平面からの高さ方向の距離が異なる。このように導光体１０１の形状を様々に加工することで、複雑な電飾を行うことができる。例えば、回転中心に対する半径方向において導光体１０１の他端の位置を異ならせて導光体ユニット１００を回転することで、残像効果により複数の同心円からなる光輪を形成することができる。また、高さ方向に導光体１０１の他端の位置を異ならせることで、奥行きを有する立体的な光輪を形成することができる。
【００３９】
（１−３）回転制御ユニット
回転制御ユニット３００は、回転穴付き板３０１、回転穴付き板復帰バネ３０２、スライダーピン固定板３１０、スライダーピン固定板復帰バネ３２０、シャフト３３０、スライダーピン用バネ３４０、スライダーピン３５０及びモータ固定板３９０を含む。
【００４０】
（ａ）シャフト
シャフト３３０は、発光構造物１の回転中心に設けられており、駆動ユニット４００を構成する回転軸４０２に係合されている。よって、シャフト３３０は、回転軸４０２の回転に応じて回転する。シャフト３３０は、回転軸４０２と係合されるシャフト本体３３２と、シャフト本体３３２の側壁から突出するシャフト突出部３３１と、からなる。なお、シャフト本体３３２は例えば図２に示されるように、先端の一段目と、一段目に連続する二段目と、で直径が異なるように形成されている。また、シャフト突出部３３１は、シャフト本体３３２の一段目及び二段目からそれぞれ突出するように形成されている。
【００４１】
（ｂ）スライダーピン、スライダーピン用バネ
スライダーピン３５０として、例えば２本の第１スライダーピン３５０ａ及び第２スライダーピン３５０ｂが設けられている。第１スライダーピン３５０ａ及び第２スライダーピン３５０ｂは同一の構造をしており、第１スライダーピン３５０ａと第２スライダーピン３５０ｂとは、発光構造物１の回転中心に対して例えば互いに１８０°離れた位置に設けられている。本実施形態例ではスライダーピン３５０を２本設けているが、スライダーピンの本数は２本に限定されず、少なくとも１本あれば良いし、３本以上であっても良い。なお、単にスライダーピン３５０と言うときは、第１スライダーピン３５０ａ及び第２スライダーピン３５０ｂの総称を言うものとする。
【００４２】
各スライダーピン３５０は、モータ固定板３９０とスライダーピン固定板３１０との間に設けられている。スライダーピン３５０は、後述の案内溝３６０に接触している案内溝スライド部３５３と、後述のスライダーピン挿入穴３０５に対して抜き差しされる挿入先端部３５１と、案内溝スライド部３５３及び挿入先端部３５１の間にスライダーピン３５０の壁面から突出して形成され、スライダーピン用バネ３４０を係止する突出周縁部３５２と、から構成されている。
【００４３】
案内溝３６０は一端と他端とが異なる高低差を有するように形成されており、スライダーピン用バネ３４０は、スライダーピン３５０を案内溝３６０の高低差に沿って移動させるために、スライダーピン３５０を案内溝３６０に接触するように押圧する。スライダーピン用バネ３４０は、第１スライダーピン３５０ａ及び第２スライダーピン３５０ｂに対してそれぞれ第１スライダーピン用バネ３４０ａ及び第２スライダーピン用バネ３４０ｂが設けられている。
【００４４】
（ｃ）回転穴付き板、回転穴付き板復帰バネ
回転穴付き板３０１は、例えば円形状の平板であり、発光素子ユニット２００とスライダーピン固定板３１０との間に設けられている。回転穴付き板復帰バネ３０２もまた基板固定板２０２下部の円筒状部分に案内されており、基板固定板２０２と回転穴付き板３０１との間に設けられている。
【００４５】
回転穴付き板３０１の中央部には、シャフト穴３０３及びシャフト係止部３０４が形成されており、それぞれシャフト本体３３２及びシャフト突出部３３１が挿入されることで、回転穴付き板３０１とシャフト３３０とが互いに係合している。よって、シャフト３３０の回転に同期して回転穴付き板３０１も回転する。ここで、回転が同期しているとは、一の回転板が他の回転板の回転に対して追随して回転することを意味する。例えば２つの回転板が同一又は同程度の回転速度で回転することを意味し、一の回転板上のある一点とその一点に対応する他の回転板上の一点との位置関係が同程度の位置関係を維持するように、２つの回転板が回転することを意味する。
【００４６】
回転穴付き板３０１の周縁部には、スライダーピン３５０が抜き差しされる複数のスライダーピン挿入穴３０５が形成されている。特に、スライダーピン挿入穴３０５では、前述の通りスライダーピン３５０のうち挿入先端部３５１が抜き差しされる。図２の例では、８個のスライダーピン挿入穴３０５が等間隔で形成されており、スライダーピン挿入穴３０５どうしは回転中心に対して４５°離隔して配置されている。ただし、スライダーピン挿入穴３０５の個数はこれに限定されない。
【００４７】
次に、１本のスライダーピン３５０に着目してその動作を説明する。
【００４８】
スライダーピン３５０は、ある第１のスライダーピン挿入穴３０５に挿入された後、回転穴付き板３０１の回転に伴って所定範囲の一端から他端まで移動する。所定範囲の他端において、スライダーピン３５０は、挿入されていた第１のスライダーピン挿入穴３０５から外れ、スライダーピン固定板復帰バネ３２０の復元力により所定範囲の一端まで引き戻される。このとき、スライダーピン３５０は、回転穴付き板３０１を図２の上方である発光素子ユニット２００側に押し上げる。なお、スライダーピン３５０の移動範囲である所定範囲の一端から他端は、後述の回転規制支柱３７０及び回転規制溝３１１が制限するスライダーピン固定板３１０が回転可能な範囲及び／又は後述の案内溝３６０の一端部３６１及び他端部３６２の離隔角度により定義される。
【００４９】
次に、回転穴付き板３０１が回転し、第１のスライダーピン挿入穴３０５に対して回転穴付き板３０１の回転方向とは逆方向に隣接する第２のスライダーピン挿入穴３０５が、所定範囲の一端まで引き戻されたスライダーピン３５０の位置まで来ると、スライダーピン３５０は第２のスライダーピン挿入穴３０５に挿入される。スライダーピン３５０は、第１のスライダーピン挿入穴３０５から外れて第２のスライダーピン挿入穴３０５に挿入されるまでの間、回転穴付き板３０１を押し上げるように移動している。よって、回転穴付き板復帰バネ３０２は、押し上げられた回転穴付き板３０１を、スライダーピン３５０が第２のスライダーピン挿入穴３０５に挿入される際に押し下げる。これにより、スライダーピン３５０を確実に第２のスライダーピン挿入穴３０５に挿入することができる。
【００５０】
なお、本実施形態例の場合、発光構造物１の回転中心に対して互いに１８０°離れた位置にある２本の第１スライダーピン３５０ａ及び第２スライダーピン３５０ｂが設けられている。第１スライダーピン３５０ａが第１のスライダーピン挿入穴３０５に挿入されている場合、第２スライダーピン３５０ｂは、発光構造物１の回転中心に対して第１のスライダーピン挿入穴３０５から１８０°離れた位置の第３のスライダーピン挿入穴３０５に挿入されている。また、第２スライダーピン３５０ｂは、第３のスライダーピン挿入穴３０５から外れた後、所定範囲の一端まで引き戻されて第３のスライダーピン挿入穴３０５に隣接する第４のスライダーピン挿入穴３０５に挿入される。
【００５１】
（ｄ）スライダーピン固定板
スライダーピン固定板３１０は、例えば円形状の平板であり、回転穴付き板３０１とモータ固定板３９０との間に設けられている。スライダーピン固定板３１０の発光素子ユニット２００と対向する面上には、例えばその周縁部に３本のネジ止め支柱３１４ａ〜３１４ｃが突出して形成されている。ネジ止め支柱３１４ａ〜３１４ｃは円筒状の支柱であり、ネジ２０６ａ〜２０６ｃが、発光素子基板２０１及び基板固定板２０２のねじ穴２０４ａ〜２０４ｃ及びねじ穴２０５ａ〜２０５ｃを介して、ネジ止め支柱３１４ａ〜３１４ｃにねじ止めされる。これにより、発光素子基板２０１、基板固定板２０２及びスライダーピン固定板３１０が互いに固定されている。
【００５２】
また、スライダーピン固定板３１０には、第１〜第３回転規制溝３１１ａ〜３１１ｃと、第１〜第２スライダーピン固定穴３１２ａ〜３１２ｂと、シャフト穴３１３と、バネ係止部３１６と、が形成されている。
【００５３】
シャフト穴３１３はスライダーピン固定板３１０の中央部に形成されており、シャフト３３０が貫通している。シャフト穴３１３とシャフト３３０とは係合されていない。
【００５４】
第１、第２スライダーピン固定穴３１２ａ、３１２ｂには、第１スライダーピン３５０ａ及び第２スライダーピン３５０ｂがそれぞれ挿入されている。よって、スライダーピン固定板３１０と、第１スライダーピン３５０ａ及び第２スライダーピン３５０ｂと、が互いに係合されている。また、前述の通り、発光素子基板２０１、基板固定板２０２及びスライダーピン固定板３１０が互いに固定されているため、第１スライダーピン３５０ａ及び第２スライダーピン３５０ｂと、発光素子基板２０１と、基板固定板２０２と、スライダーピン固定板３１０と、が互いに係合されて同期して回転する。
【００５５】
第１〜第３回転規制溝３１１ａ〜３１１ｃには、回転せず固定されているモータ固定板３９０上の第１〜第３回転規制支柱３７０ａ〜３７０ｃがそれぞれ挿入されている。スライダーピン固定板３１０の回転に応じて第１回転規制溝３１１ａは回転するが、第１回転規制支柱３７０ａが第１回転規制溝３１１ａの一端部３１１ａ１及び他端部３１１ａ２に当接すると、第１回転規制溝３１１ａの回転は規制される。同様に、第２、第３回転規制溝３１１ｂ、３１１ｃもまた同様に構成されており、その回転も第２、第３回転規制支柱３７０ｂ、３７０ｃにより規制される。よって、スライダーピン固定板３１０の回転は、第１〜第３回転規制支柱３７０ａ〜３７０ｃが、第１〜第３回転規制溝３１１ａ〜３１１ｃの一端部と他端部とに当接するまでに移動可能な所定範囲に制限される。
【００５６】
第１回転規制溝３１１ａにおいて、発光構造物１の回転中心に対する一端部３１１ａ１と他端部３１１ａ２との離隔角度は、後述の案内溝３６０の一端部３６１と他端部３６２との回転中心に対する離隔角度と同程度に設計される。本実施形態例の場合、第１回転規制溝３１１ａ離隔角度及び案内溝３６０の離隔角度は例えば４０°である。第１、第２回転規制溝３１１ｂ、３１１ｃの一端部と他端部との離隔角度は、第１回転規制溝３１１ａの一端部３１１ａ１と他端部３１１ａ２との離隔角度と同様に例えば４０°である。
【００５７】
バネ係止部３１６には、後述の図６（ｄ）に示すようにスライダーピン固定板復帰バネ３２０のバネ固定端３２１が係止される。
【００５８】
（ｅ）モータ固定板
モータ固定板３９０は、例えば円形状の平板であり、スライダーピン固定板３１０と駆動ユニット４００との間に設けられている。モータ固定板３９０自体は回転せず、後述の駆動ユニットが固定されている。モータ固定板３９０のスライダーピン固定板３１０と対向する面上には、例えば第１〜第３回転規制支柱３７０ａ〜３７０ｃと、バネ受け部３８１と、が形成されている。さらに、モータ固定板３９０には、シャフト穴３８０及び案内溝３６０が形成されている。
【００５９】
シャフト穴３８０は、モータ固定板３９０の中央部を貫通するように形成されており、バネ受け部３８１は、モータ固定板３９０の平面から突出し、シャフト穴３８０から連続する円筒状に形成されている。バネ受け部３８１の外周には、スライダーピン固定板復帰バネ３２０のバネ本体３２２が挿入されている。
【００６０】
第１〜第３回転規制支柱３７０ａ〜３７０ｃは、それぞれ第１〜第３回転規制溝３１１ａ〜３１１ｃに挿入されている。回転規制支柱３７０は、円筒状の先端部３７１及び基部３７２から構成されている。回転規制支柱３７０の先端部３７１にはねじ穴が形成されており、第１〜第３回転規制支柱３７０ａ〜３７０ｃがそれぞれ第１〜第３回転規制溝３１１ａ〜３１１ｃに挿入されている状態で、ネジ３１５ａ〜３１５ｃと第１〜第３回転規制支柱３７０ａ〜３７０ｃの各先端部３７１とがネジ止めされる。
【００６１】
また、第１回転規制支柱３７０ａの先端部３７１にはスライダーピン固定板復帰バネ３２０のリング部３２３が挿入されている。
【００６２】
案内溝３６０として、例えば２つの第１案内溝３６０ａ及び第２案内溝３６０ｂが設けられている。第１案内溝３６０ａ及び第２案内溝３６０ｂには、第１スライダーピン３５０ａ及び第２スライダーピン３５０ｂそれぞれの案内溝スライド部３５３が載置されている。案内溝３６０は、一端部３６１と他端部３６２とで深さが異なり、スライダーピン３５０をその溝に沿って案内する。なお、案内溝３６０の数は２つに限定されず、スライダーピン３５０の本数に応じて設けられていれば良い。
【００６３】
案内溝３６０の深さは、スライダーピン３５０が案内溝３６０の一端部３６１に位置する場合には、スライダーピン３５０が回転穴付き板３０１のスライダーピン挿入穴３０５に挿入されるように形成される。一方、スライダーピン３５０が案内溝３６０の一端部３６１から他端部３６２に移動した場合には、スライダーピン３５０がスライダーピン挿入穴３０５から外れる深さに形成される。
【００６４】
案内溝３６０の形状の一例を次に説明する。図３（ａ）〜（ｃ）は案内溝３６０の深さの変化を示す断面図である。図３（ａ）の場合、案内溝３６０は、一端部３６１から他端部３６２に亘って徐々に深さが深くなるように形成されている。図３（ｂ）の場合、案内溝３６０は、一端部３６１から他端部３６２の手前までの深さと、他端部３６２での深さと、が異なるように形成されている。図３（ｃ）の場合、案内溝３６０は、一端部３６１から他端部３６２に亘って例えば４段階で段階的に深さが深くなるように形成されている。本実施形態例では、案内溝３６０は図３（ａ）のように形成されているものとする。
【００６５】
スライダーピン３５０の案内溝スライド部３５３が案内溝３６０の一端部３６１に当接している場合には、スライダーピン３５０は図２の上方に押し上げられ、回転穴付き板３０１のスライダーピン挿入穴３０５に挿入される。また、スライダーピン３５０は、回転穴付き板３０１の回転とともに案内溝３６０を一端部３６１から他端部３６２まで移動する。このとき、スライダーピン３５０は、案内溝３６０の一端部３６１から他端部３６２に到達する前までは、スライダーピン挿入穴３０５に挿入されている。スライダーピン３５０が案内溝３６０の他端部３６２に到達すると、スライダーピン３５０は案内溝３６０に沿って押し下げられることにより、スライダーピン挿入穴３０５から外れる。例えば、図３（ａ）の場合には、スライダーピン３５０は案内溝３６０の一端部３６１から他端部３６２にかけて徐々にスライダーピン挿入穴３０５から外れる。図３（ｂ）の場合には、スライダーピン３５０は案内溝３６０の一端部３６１から他端部３６２に到達する前までは高さ方向の位置は変化せず、他端部３６２に到達すると案内溝３６０の深さに沿ってスライダーピン挿入穴３０５から外れる。図３（ｃ）の場合には、スライダーピン３５０は案内溝３６０の一端部３６１から他端部３６２にかけて段階的にスライダーピン挿入穴３０５から外れる。
【００６６】
また、本実施形態例の案内溝３６０は、上述の通り、その一端部３６１と他端部３６２とが、発光構造物１の回転中心に対して例えば４０°離隔するように形成されている。案内溝３６０の一端部３６１と他端部３６２との離隔角度は、回転穴付き板３０１のスライダーピン挿入穴３０５間の離隔角度に応じて設定されており、例えばスライダーピン挿入穴３０５間の離隔角度よりも小さくなるように設定されている。特に、案内溝３６０の一端部３６１と他端部３６２との離隔角度は、案内溝３６０の他端部３６２で第１のスライダーピン挿入穴３０５から外れたスライダーピン３５０が、再び案内溝３６０の一端部３６１に戻って来たときに、第１のスライダーピン挿入穴３０５に隣接する第２のスライダーピン挿入穴３０５に挿入可能な離隔角度のうち、最大の離隔角度に設定されていると好ましい。このように設定されることで、スライダーピン３５０と回転穴付き板３０１とをできるだけ長い時間同期して回転させて、ひいては導光体ユニット１００発光素子ユニット２００とをできるだけ長い時間同期して回転させることができる。よって、発光素子２０３の位置と導光体１０１の一端の位置とをできるだけ対応させて、導光体１０１が発光素子２０３からの光を受光可能な時間を長くすることができる。よって、導光体１０１の他端から出射される光の出射量が低下するのを抑制し、電飾の発光強度を維持することができる。なお、本実施形態例では、回転穴付き板３０１のスライダーピン挿入穴３０５間の離隔角度は４５°であり、案内溝３６０の一端部３６１と他端部３６２との離隔角度が４０°であるので、導光体ユニット１００と発光素子ユニット２００とは互いに４０°回転する間、同期して回転するように設計されている。
【００６７】
（ｆ）スライダーピン固定板復帰バネ
スライダーピン固定板復帰バネ３２０は、スライダーピン固定板３１０とモータ固定板３９０との間に設けられている。スライダーピン固定板復帰バネ３２０は、針金状の部材が環状に複数回巻かれたバネ本体３２２と、バネ本体３２２一端の環状に１回巻かれたリング部３２３と、バネ本体３２２の他端のバネ固定端３２１と、を有する。バネ本体３２２は、モータ固定板３９０のバネ受け部３８１の外周に挿入され、リング部３２３は第１回転規制支柱３７０ａの基部３７２に挿入され、バネ固定端３２１はスライダーピン固定板３１０のバネ係止部３１６に係止される。
【００６８】
モータ固定板３９０は回転せず固定されているため、第１回転規制支柱３７０ａに係止されているリング部３２３もまた回転しない。ここで、スライダーピン３５０が、回転穴付き板３０１のスライダーピン挿入穴３０５に挿入されている間は、回転穴付き板３０１の回転とともに移動する。よって、スライダーピン固定穴３１２を介してスライダーピン３５０と係合されているスライダーピン固定板３１０は、スライダーピン３５０の移動とともに回転する。このとき、スライダーピン固定板３１０のバネ係止部３１６に係止されたバネ固定端３２１は、スライダーピン固定板３１０の回転に応じて、スライダーピン固定板復帰バネ３２０の復元力に対抗する方向に向かう。次に、スライダーピン３５０がスライダーピン挿入穴３０５から外れると、スライダーピン３５０及びスライダーピン固定板３１０は回転穴付き板３０１との同期回転から解放される。よって、スライダーピン固定板復帰バネ３２０の復元力により、スライダーピン３５０及びスライダーピン固定板３１０は回転前の位置に復帰する。
【００６９】
（１−４）駆動ユニット
駆動ユニット４００は、モータ４０１と、モータ４０１から突出している回転軸４０２と、を含む。モータ４０１は、ハーネス４１０から電源及び各種制御信号等の供給を受けて、回転軸４０２に回転の駆動力を供給する。回転軸４０２は、シャフト３３０と係合されており、シャフト３３０を回転させる。モータ４０１は、ネジ４０３によりネジ止めされて固定されている。
【００７０】
上記の発光構造物１では、駆動ユニットの回転軸４０２と導光体支持部１０２及び回転穴付き板３０１とが直接的に係合されているが、例えば減速機などを介して間接的に係合されていても良い。
【００７１】
（２）発光構造物の動作
（２−１）各部の回転の概要
次に、発光構造物１の各部の回転の概要について図４を用いて説明する。図４は発光構造物の各部の回転の概要を説明する説明図である。
【００７２】
モータ４０１に設けられた回転軸４０２は、例えば図４に示すように反時計回りに連続回転している。
【００７３】
回転軸４０２と係合されているシャフト３３０は、回転軸４０２の回転に同期して反時計回りに連続回転している。また、シャフト３３０と、回転穴付き板３０１及び導光体支持部１０２と、は互いに係合されており、回転穴付き板３０１及び導光体支持部１０２もまた回転軸４０２の回転に同期して反時計回りに連続回転している。
【００７４】
モータ固定板３９０は回転せず固定されている。
【００７５】
スライダーピン３５０は、モータ固定板３９０上の案内溝３６０により案内されて、回転穴付き板３０１のスライダーピン挿入穴３０５に対して抜き差しされる。スライダーピン３５０は、スライダーピン挿入穴３０５に挿入されている間は、回転穴付き板３０１の回転に同期して反時計回りに移動する。一方、スライダーピン３５０は、スライダーピン挿入穴３０５から外れると、スライダーピン固定板復帰バネ３２０の復元力により時計回り方向に移動して移動前の位置に戻る。各スライダーピン挿入穴３０５に対してスライダーピン３５０の抜き差しが繰り返されることで、スライダーピン３５０は案内溝３６０の一端部３６１及び他端部３６２間を往復する。前述の通り案内溝３６０の一端部３６１と他端部３６２との回転中心に対する離隔角度は、本実施形態例では４０°である。よって、スライダーピン３５０は図４に示すように４０°の往復回転をする。
【００７６】
ここで、スライダーピン３５０と、発光素子基板２０１と、基板固定板２０２と、スライダーピン固定板３１０と、が互いに係合されているため、これらの部材は互いに同期して回転する。よって、発光素子基板２０１、基板固定板２０２及びスライダーピン固定板３１０は、スライダーピン３５０と同様に４０°の往復回転をする。
【００７７】
上記のような回転により、導光体ユニット１００と発光素子ユニット２００とが次のように同期及び非同期をくり返して回転する。
【００７８】
導光体ユニット１００が、回転前の初期位置から反時計回りに４０°回転するまでは、発光素子ユニット２００は、導光体ユニット１００の回転に同期して初期位置から反時計回りに４０°の位置まで回転する。次に、導光体ユニット１００が初期位置から反時計回りに４０°の位置から４５°の位置に回転するまでの間、発光素子ユニット２００は、反時計回りに４０°の位置から時計回りに回転して初期位置に戻る。よって、この間、導光体ユニット１００と発光素子ユニット２００とは異なる方向に回転しており同期していない。再び初期位置に戻った発光素子ユニット２００は、導光体ユニット１００が反時計回りに４５°の位置から８５°の位置まで回転する間に、導光体ユニット１００の回転に同期して初期位置から反時計回りに４０°の位置まで回転する。次に、導光体ユニット１００が初期位置から反時計回りに８５°の位置から９０°の位置に回転するまでの間、発光素子ユニット２００は、反時計回りに４０°の位置から時計回りに回転して初期位置に戻る。このように導光体ユニット１００と発光素子ユニット２００とが４０°分だけ同期して回転する動作が繰り返される。
【００７９】
（２−２）各部の回転の詳細
図５〜図１０を用いて、各部の回転の流れをさらに説明する。図５は、各部の回転の流れを説明するための説明図であり、図５（ａ）〜（ｅ）には、各部の回転に沿って時系列的に発光構造物の正面図、側面図、及び斜視図が示されている。図６〜図１０は、それぞれ図５（ａ）〜（ｅ）に対応する発光構造物１の断面を説明するための説明図である。
【００８０】
（ａ）同期回転前（θα＝０°、θβ＝０°）
図５（ａ）は、導光体ユニット１００と発光素子ユニット２００とが同期回転する前の説明図である。図５（ａ）では、導光体ユニット１００及び発光素子ユニット２００は初期位置に位置しており、導光体ユニット１００の回転角度θαは０°（θα＝０°）であり、発光素子ユニット２００の回転角度θβは０°（θβ＝０°）である。このとき、導光体ユニット１００の少なくとも１の導光体１０１と、発光素子ユニット２００の複数の発光素子２０３のいずれかと、が対向するように配置されており、導光体１０１の一端は発光素子２０３から出射される光を受光し、他端において受光した光を出射可能である。また、スライダーピン３５０は、モータ固定板３９０の案内溝３６０の一端部３６１に位置しており、回転穴付き板３０１のスライダーピン挿入穴３０５に挿入されている。
【００８１】
図６は図５（ａ）に対応しており、図５（ａ）の斜視図及び側面図が図６の（ａ）及び（ｂ）として図示されている。図６（ｃ）は、図６（ｂ）のＡ−Ａ断面を導光体ユニット１００側から見たときの断面図である。図６（ｄ）は、図６（ｂ）のＢ−Ｂ断面を駆動ユニット４００側から見たときの断面図である。
【００８２】
図６（ａ）及び図６（ｃ）を参照すると、第１スライダーピン３５０ａ及び第２スライダーピン３５０ｂは、それぞれ回転穴付き板３０１のスライダーピン挿入穴３０５ａ及び３０５ｂに挿入されている。
【００８３】
図６（ｄ）を参照すると、第１〜第３回転規制支柱３７０ａ〜３７０ｃが、それぞれ第１〜第３回転規制溝３１１ａ〜３１１ｃの一端部に当接しており、スライダーピン固定板３１０の時計方向への回転が規制されている。なお、第１スライダーピン３５０ａ及び第２スライダーピン３５０ｂは、それぞれスライダーピン固定板３１０の第１スライダーピン固定穴３１２ａ及び第１スライダーピン固定穴３１２ｂに挿入されている。
【００８４】
（ｂ）同期回転（θα＝０°〜４０°、θβ＝０°〜４０°）
図５（ｂ）は、導光体ユニット１００と発光素子ユニット２００とが同期回転している場合の説明図である。図５（ｂ）では、一例として、導光体ユニット１００の初期位置に対する回転角度θαが２０°（θα＝２０°）であり、発光素子ユニット２００の初期位置に対する回転角度θβが２０°（θβ＝２０°）である場合を例に挙げている。
【００８５】
導光体支持部１０２がシャフト３３０の回転に同期して回転するのに応じて、導光体支持部１０２に固定されている導光体１０１もまた回転中心に対して回転する。例えば、図５（ａ）の導光体１０１ａは、初期位置に対して２０°回転することで、図５（ｂ）の導光体１０１ａの位置に移動する。同様に、図５（ａ）の導光体１０１ｂは、初期位置に対して２０°回転することで、図５（ｂ）の導光体１０１ｂの位置に移動する。
【００８６】
図７は図５（ｂ）に対応しており、図５（ｂ）の斜視図及び側面図が図７の（ａ）及び（ｂ）として図示されている。図７（ｃ）は、図７（ｂ）のＣ−Ｃ断面を導光体ユニット１００側から見たときの断面図である。図７（ｄ）は、図７（ｂ）のＤ−Ｄ断面を駆動ユニット４００側から見たときの断面図である。
【００８７】
図５（ｂ）及び図７（ｃ）を参照すると、第１スライダーピン３５０ａ及び第２スライダーピン３５０ｂは、それぞれ回転穴付き板３０１のスライダーピン挿入穴３０５ａ及び３０５ｂに挿入されたままである。よって、各スライダーピン３５０は、回転穴付き板３０１が回転するのに伴って、案内溝３６０の一端部３６１から他端部３６２に向かって案内溝３６０に沿って移動している。本実施形態例では、案内溝３６０は図３（ａ）に示すように徐々に深さが深くなるように形成されており、スライダーピン３５０は、案内溝３６０を他端部３６２に進むにつれて押し下げられる。
【００８８】
図５（ｂ）のようにスライダーピン３５０が案内溝３６０の一端部３６１から他端部３６２に向かって移動するのに応じて、図７（ｄ）に示すようにスライダーピン固定板３１０は導光体ユニット１００側から見て反時計回りに回転する。なお、図７（ｄ）は駆動ユニット４００側から見たときの断面図であるため、図７（ｄ）に示されているスライダーピン固定板３１０の回転方向は時計回りで示されている。スライダーピン固定板３１０が前述のように反時計回りに回転すると、スライダーピン固定板３１０と係合されている発光素子ユニット２００もまた反時計回りに回転する。
【００８９】
つまり、シャフト３３０の回転に伴って、シャフト３３０と係合されている導光体ユニット１００及び回転穴付き板３０１が反時計回りに回転し、さらに回転穴付き板３０１に挿入されているスライダーピン３５０もまた回転穴付き板３０１の回転に伴って回転する。そして、スライダーピン３５０と係合されているスライダーピン固定板３１０も反時計回りに回転し、スライダーピン固定板３１０と係合されている発光素子ユニット２００もまた反時計回りに回転する。その結果、導光体ユニット１００と発光素子ユニット２００とが初期位置での関係を維持しつつ、つまり、導光体ユニット１００の少なくとも１の導光体１０１と、発光素子ユニット２００の複数の発光素子２０３のいずれかと、が互いに対向するような位置関係を維持しつつ、導光体ユニット１００及び発光素子ユニット２００が同期して反時計回りに回転する。このような同期回転は、導光体ユニット１００及び発光素子ユニット２００が初期位置からθα＝４０°、θβ＝４０°の位置に回転するまで継続する。
【００９０】
ここで、モータ固定板３９０は回転せず固定されているため、第１〜第３回転規制支柱３７０ａ〜３７０ｃも回転しない。よって、θα＝２０°及びθβ＝２０°の場合、図７（ｄ）に示すように第１回転規制支柱３７０ａは、スライダーピン固定板３１０に形成された第１回転規制溝３１１ａの一端部３１１ａ１と他端部３１１ａ２との間に位置している。同様に第２、第３回転規制支柱３７０ｂ、３７０ｃは、スライダーピン固定板３１０に形成された第２、第３回転規制溝３１１ｂ、３１１ｃそれぞれの一端部と他端部との間に位置している。また、スライダーピン固定板３１０のバネ係止部３１６に係止されたバネ固定端３２１は、スライダーピン固定板３１０の回転に応じて、スライダーピン固定板復帰バネ３２０の復元力に対抗する方向に向かう。復元力に対抗する方向とは、ここでは反時計回りの方向である。
【００９１】
（ｃ）同期回転からの解放（θα＝４０°、θβ＝４０°）
図５（ｃ）は、導光体ユニット１００と発光素子ユニット２００とが、図５（ｂ）に引き続いて同期回転した後、同期回転の最終位置に到達している場合の説明図である。図５（ｃ）では、導光体ユニット１００の初期位置に対する回転角度θαは４０°（θα＝４０°）であり、発光素子ユニット２００の初期位置に対する回転角度θβは４０°（θβ＝４０°）である。また、図８は図５（ｃ）に対応しており、図５（ｃ）の斜視図及び側面図が図８の（ａ）及び（ｂ）として図示されている。図８（ｃ）は、図８（ｂ）のＥ−Ｅ断面を導光体ユニット１００側から見たときの断面図である。図８（ｄ）は、図８（ｂ）のＦ−Ｆ断面を駆動ユニット４００側から見たときの断面図である。
【００９２】
導光体ユニット１００及び発光素子ユニット２００は、初期位置から４０°の位置まで回転するまでは、前述のように同期して回転している。図５（ｃ）を参照すると、導光体１０１ａ、１０１ｂは、同期回転前の図５（ａ）と比較して４０°回転した位置に移動している。また、スライダーピン３５０は、案内溝３６０の他端部３６２に到達し、案内溝３６０の深さに応じて押し下げられることでスライダーピン挿入穴３０５から外れている。よって、回転穴付き板３０１はシャフト３３０とともに反時計回りに回転し続けるが、スライダーピン３５０は、回転穴付き板３０１との同期回転から解放される。
【００９３】
図８（ｃ）を参照すると、スライダーピン３５０は、スライダーピン挿入穴３０５から外れた瞬間であり、スライダーピン挿入穴３０５の直下に位置している。このとき、図８（ｄ）に示すように第１回転規制支柱３７０ａは、第１回転規制溝３１１ａの他端部３１１ａ２に位置している。同様に第２、第３回転規制支柱３７０ｂ、３７０ｃは、第２、第３回転規制溝３１１ｂ、３１１ｃそれぞれの他端部に位置している。第１〜第３回転規制支柱３７０ａ〜３７０ｃと第１〜第３回転規制溝３１１ａ〜３１１ｃとにより、スライダーピン固定板３１０は、導光体ユニット１００側から見て反時計方向への回転が規制されている。なお、図８（ｄ）は駆動ユニット４００側から見た断面図であり、スライダーピン固定板３１０は、駆動ユニット４００側から見て時計方向への回転が規制されている。
【００９４】
また、図７（ｄ）から図８（ｄ）に示すようにスライダーピン固定板３１０がさらに反時計回りに回転することで、バネ固定端３２１は、スライダーピン固定板復帰バネ３２０の復元力に対抗する方向にさらに向かう。よって、スライダーピン固定板復帰バネ３２０の復元力がさらに増加している。この状態で上述の通り、スライダーピン３５０は回転穴付き板３０１との同期回転から解放されるため、スライダーピン固定板復帰バネ３２０の復元力により、スライダーピン３５０及びスライダーピン固定板３１０は回転前の位置に復帰しようとする。
【００９５】
（ｄ）非同期回転（θα＝４０°〜４５°、θβ＝４０°〜２０°）
図５（ｄ）は、導光体ユニット１００と発光素子ユニット２００とが、同期して回転していない場合の説明図である。図５（ｄ）では、導光体ユニット１００の初期位置に対する回転角度θαは４２．５°（θα＝４２．５°）であり、発光素子ユニット２００の初期位置に対する回転角度θβは２０°（θβ＝２０°）である。導光体１０１ａ、１０１ｂは、同期回転前の図５（ａ）と比較して４２．５°回転した位置に移動している。また、図９は図５（ｄ）に対応しており、図５（ｄ）の斜視図及び側面図が図９の（ａ）及び（ｂ）として図示されている。図９（ｃ）は、図９（ｂ）のＧ−Ｇ断面を導光体ユニット１００側から見たときの断面図である。図９（ｄ）は、図９（ｂ）のＨ−Ｈ断面を駆動ユニット４００側から見たときの断面図である。
【００９６】
図５（ｄ）の斜視図及び図９（ａ）等を参照すると、スライダーピン３５０は、スライダーピン挿入穴３０５から外れてスライダーピン挿入穴３０５どうしの間に位置している。つまり、図９（ａ）に示すように、第１スライダーピン３５０ａは、スライダーピン挿入穴３０５ａとスライダーピン挿入穴３０５ｃとの間に位置しており、第２スライダーピン３５０ｂは、スライダーピン挿入穴３０５ｂとスライダーピン挿入穴３０５ｄとの間に位置している。
【００９７】
このとき、スライダーピン３５０がスライダーピン挿入穴３０５から外れている。よって、スライダーピン固定板３１０は、スライダーピン３５０を介した回転穴付き板３０１からの反時計回りの力から解放されている。よって、スライダーピン固定板３１０は、図８（ｄ）から図９（ｄ）に示すように、スライダーピン固定板復帰バネ３２０の復元力により初期位置に戻るように、導光体ユニット１００側から見て時計回りに回転している。なお、図９（ｄ）は駆動ユニット４００側から見た断面図であるため、図９（ｄ）に示されているスライダーピン固定板３１０の回転方向は反時計回りで示されている。これにより、スライダーピン３５０は、図５（ｄ）に示すように、スライダーピン固定板３１０の回転に伴って、案内溝３６０の他端部３６２から一端部３６１に向かって案内溝３６０に沿って初期位置に戻るように移動している。また、スライダーピン固定板３１０に係合されている発光素子ユニット２００は、スライダーピン固定板３１０の回転に伴って初期位置に戻るように時計回りに回転している。一方、スライダーピン３５０が外れた回転穴付き板３０１は、引き続きシャフト３３０の回転に同期して反時計回りに回転し続けている。また、導光体ユニット１００も、引き続きシャフト３３０の回転に同期して反時計回りに回転し続けている。よって、導光体ユニット１００の回転と発光素子ユニット２００の回転とは互いに反対方向であり同期していない。
【００９８】
ここで、θα＝４２．５°、θβ＝２０°の場合、第１〜第３回転規制支柱３７０ａ〜３７０ｃは、図９（ｄ）に示すようにスライダーピン固定板３１０に形成された第１〜第３回転規制溝３１１ａ〜３１１ｃそれぞれの一端部と他端部との間に位置している。
【００９９】
（ｅ）同期回転への復帰（θα＝４５°、θβ＝０°）
図５（ｅ）は、導光体ユニット１００と発光素子ユニット２００とが、同期回転を再び開始する場合の説明図である。図５（ｅ）では、導光体ユニット１００の初期位置に対する回転角度θαは４５°（θα＝４５°）であり、発光素子ユニット２００の初期位置に対する回転角度θβは０°（θβ＝０°）である。また、図１０は図５（ｅ）に対応しており、図５（ｅ）の斜視図及び側面図が図１０の（ａ）及び（ｂ）として図示されている。図１０（ｃ）は、図１０（ｂ）のＩ−Ｉ断面を導光体ユニット１００側から見たときの断面図である。図１０（ｄ）は、図１０（ｂ）のＪ−Ｊ断面を駆動ユニット４００側から見たときの断面図である。
【０１００】
導光体ユニット１００はシャフト３３０とともに反時計回りに回転し続けており、図５（ｅ）では、導光体１０１ａ、１０１ｂは、初期位置の図５（ａ）と比較して４５°回転した位置に移動している。また、回転穴付き板３０１もまたシャフト３３０とともに反時計回りに回転し続けており、初期位置の図５（ａ）と比較して４５°の位置まで回転している。
【０１０１】
一方、スライダーピン固定板３１０は、図９（ｄ）から図１０（ｄ）に示すように、スライダーピン固定板復帰バネ３２０の復元力により導光体ユニット１００側から見て時計回りに回転している。これにより、スライダーピン３５０は、図５（ｅ）に示すようにスライダーピン固定板３１０の回転に伴って案内溝３６０の一端部３６１まで再び戻り、図５（ａ）において挿入されていたスライダーピン挿入穴３０５に隣接する別のスライダーピン挿入穴３０５に挿入される。つまり、図１０（ａ）及び図１０（ｃ）に示すように、第１スライダーピン３５０ａは、スライダーピン挿入穴３０５ａに対して時計回り方向に隣接するスライダーピン挿入穴３０５ｃに挿入されている。また、第２スライダーピン３５０ｂは、スライダーピン挿入穴３０５ｂに対して時計回り方向に隣接するスライダーピン挿入穴３０５ｄに挿入されている。
【０１０２】
また、スライダーピン固定板３１０に係合されている発光素子ユニット２００は、スライダーピン固定板３１０の回転に伴って時計回りに回転して初期位置に戻っている。
【０１０３】
ここで、θα＝４５°、θβ＝０°の場合、第１〜第３回転規制支柱３７０ａ〜３７０ｃは、図１０（ｄ）に示すように第１〜第３回転規制溝３１１ａ〜３１１ｃそれぞれの一端部に位置している。その後、図５（ａ）〜図５（ｅ）の動作がくり返される。
【０１０４】
なお、スライダーピン３５０が、スライダーピン固定板復帰バネ３２０の復元力によって案内溝３６０の他端部３６２から一端部３６１まで戻るのにかかる時間は、回転穴付き板３０１が回転前の初期位置に対して４０°から４５°の位置まで反時計回りに回転するのにかかる時間以下に設定される。つまり、回転穴付き板３０１が同期回転前の位置から４５°回転した時には、スライダーピン３５０が案内溝３６０の他端部３６２から一端部３６１に戻っている必要がある。このような設定は、例えば、スライダーピン固定板復帰バネ３２０の弾性係数、バネ本体３２２の巻き数及びシャフト３３０の回転数などの調整により可能である。これにより、回転穴付き板３０１が初期位置から反時計回りに４５°の位置に回転した時に、スライダーピン３５０は案内溝３６０の他端部３６２から一端部３６１に戻り、回転穴付き板３０１の次のスライダーピン挿入穴３０５に挿入可能となる。
【０１０５】
また、本実施形態例の場合、導光体ユニット１００と発光素子ユニット２００との同期回転は４５°毎に行われ、導光体ユニット１００が３６０°回転する間に８回の同期回転が行われる。これらの同期回転が開始する各場合において、導光体ユニット１００の少なくとも１の導光体１０１と、発光素子ユニット２００の複数の発光素子２０３のいずれかと、が互いに対向するように、導光体１０１と発光素子２０３とが配置されている必要がある。例えば、図５（ｅ）及び図１０の場合、初期位置から反時計回りに４５°回転した導光体ユニット１００の少なくとも１の導光体１０１と、初期位置に戻った発光素子ユニット２００の複数の発光素子２０３のいずれかと、が互いに対向するように、導光体１０１と発光素子２０３とが配置されている必要がある。また、例えば初期位置から反時計回りに９０°回転した導光体ユニット１００の少なくとも１の導光体１０１と、初期位置に戻った発光素子ユニット２００の複数の発光素子２０３のいずれかと、が互いに対向するように、導光体１０１と発光素子２０３とが配置されている必要がある。
【０１０６】
（ｆ）まとめ
上述のような構成により、導光体ユニット１００は駆動ユニット４００により回転し続ける一方で、発光素子ユニット２００は４０°の範囲で駆動ユニット４００と同期した往復回転を行う。よって、発光素子ユニット２００が導光体ユニット１００に同期して４０°回転している間は、導光体ユニット１００の各導光体１０１の概ね直下に、対応する発光素子２０３が配置されることとなり、各導光体１０１は対応する発光素子２０３からの出射光を概ね直下から受光することができる。また、導光体ユニット１００が４０°から４５°まで回転する間は、発光素子ユニット２００と導光体ユニット１００との回転は同期していないが、発光素子ユニット２００が再び初期位置に戻ると導光体ユニット１００と同期して回転する。このとき、再び、導光体ユニット１００の各導光体１０１の概ね直下に、対応する発光素子２０３が配置され、各導光体１０１は対応する発光素子２０３からの出射光を概ね直下から受光することができる。
【０１０７】
例えば、一の導光体１０１は、導光体ユニット１００が０°〜４０°まで回転する間は、一の発光素子２０３の直上に位置しており一の発光素子２０３からの光を最大限に受光する。また、導光体ユニット１００が４５〜８０°まで回転する間は、一の導光体１０１は、別の発光素子２０３の直上に位置して別の発光素子２０３からの光を最大限に受光する。なお、導光体ユニット１００が４０°〜４５°まで回転する間は、一の導光体１０１は、一の発光素子２０３と別の発光素子２０３との間に位置しており、一の発光素子２０３からの光と別の発光素子２０３からの光を最大で２２．５°ずれた位置から受光することができる。よって、導光体１０１が発光素子２０３からの光を直接的に受光可能な時間をできるだけ長くして、導光体１０１の先端から出射される光の出射量が低下するのを抑制し、電飾の発光強度を維持することができる。
【０１０８】
なお、上述のように導光体ユニット１００と発光素子ユニット２００とが同期回転する構成が設けられていない場合、各導光体１０１は、対応する発光素子２０３が導光体１０１の直下に位置する瞬間においてのみ光を直接的に受光することとなり、本実施形態例の構成と比較して導光体１０１の他端から出射される光の輝度が低下する。
【０１０９】
（２−３）回転穴付き板の上下移動
回転穴付き板３０１は、スライダーピン３５０の抜き差しにより、導光体ユニット１００側及び駆動ユニット４００側に上下移動する。図１１は、回転穴付き板の上下移動を示す説明図である。図１１（ａ）〜（ｅ）はそれぞれ図５（ａ）〜（ｅ）に対応しており、図５（ａ）〜（ｅ）の斜視図が図１１（ａ）〜（ｅ）の斜視図として図示されている。
【０１１０】
図１１（ａ）〜（ｃ）では、回転穴付き板３０１は、スライダーピン３５０がスライダーピン挿入穴３０５に挿入されたまま反時計回りに、初期位置、２０°、４０°の順に回転している。これに対して、図１１（ｄ）〜（ｅ）を参照すると、回転穴付き板３０１は、反時計回りに４０°から４５°の位置まで回転する間、スライダーピン３５０がスライダーピン挿入穴３０５から外れている。このとき、図１１（ｄ）に示すように、スライダーピン３５０は、回転穴付き板３０１を図１１（ｃ）の状態から導光体ユニット１００側に高さｈ押し上げている。次に、図１１（ｅ）に示すように回転穴付き板３０１が反時計回りに４５°の位置に到達すると、再びスライダーピン３５０がスライダーピン挿入穴３０５に挿入される。このとき、回転穴付き板復帰バネ３０２は、スライダーピン３５０により押し上げられた回転穴付き板３０１を、駆動ユニット４００側に図１１（ｃ）と同じ位置まで押し下げる。これにより、スライダーピン３５０を確実にスライダーピン挿入穴３０５に挿入することができる。
【０１１１】
（３）作用効果
上記発光構造物１では、導光体１０１の一端は発光素子２０３に対応して設けられており、発光素子ユニット２００及び導光体ユニット１００が回転することで、導光体の他端である先端に導かれた発光素子２０３からの光も回転し、光の残像効果により光による電飾を行うことができる。このとき、導光体１０１の太さを適宜設定することで、光輪の大きさも適宜設定することができる。
【０１１２】
また、導光体ユニット１００及び発光素子ユニット２００の回転は、上述の通り所定範囲内の回転において同期が繰り返される。よって、発光素子２０３の位置と導光体１０１の一端の位置とをできるだけ一致させて、導光体１０１が発光素子２０３からの光を直接的に受光可能な時間を長くすることができる。そのため、導光体１０１の他端から出射される光の出射量が低下するのを抑制し、導光体１０１の先端の回転により形成される光輪が途切れたり、電飾の発光強度が低下するのを抑制することができる。
【０１１３】
また、発光素子ユニット２００は、所定範囲内の往復回転をするのみでその回転が所定範囲内に抑えられる。そのため、発光素子ユニット２００に電源等を供給するためのハーネス４１０が接続されている場合でも、発光素子ユニット２００の回転によりハーネス４１０が捻れたり、回転軸に絡まってしまうことを抑制することができる。このような構成によれば、回転によりハーネス４１０が絡まるのを防止するためのスリップリング構造が不要であり、部材数を減らして低コスト化、小型化及び製造工程の簡単化を図ることができる。
【０１１４】
また、導光体１０１は、発光素子２０３とは非接触の状態で発光素子２０３からの光を受光して光を先端に導くことができるため、発光素子ユニット２００と導光体ユニット１００とを非接触で構成することができる。よって、部材どうしの接触による摩耗が抑制され、発光構造物１の寿命を長くすることができる。
【０１１５】
さらに、導光体ユニット１００が電気的な連結のためのハーネスに接続されることなく光を受光する構成であるため、導光体ユニット１００の構造の自由度を容易に高めることができる。例えば、導光体ユニット１００を、導光体１０１がそれぞれに備えられた内輪部材と外輪部材の２つの部材から構成し、内輪部材と外輪部材とで異なる回転方向とすることも可能である。
【０１１６】
（４）位置検出ユニットの追加
上記実施形態例の発光構造物１において、位置検出用導光体１０６、位置検出用発光素子２０７ａ及び位置検出用受光素子２０７ｂを含む位置検出ユニットをさらに設けても良い。
【０１１７】
（４−１）位置検出ユニットの第１の例
図１２は位置検出ユニットの構成図であり、同図（ａ）は導光体支持部１０２の正面図、同図（ｂ）は発光素子基板２０１の正面図、同図（ｃ）は導光体支持部１０２及び発光素子基板２０１の同図（ｂ）のＫ−Ｋでの断面図である。図１２（ａ）では簡単のために電飾用の導光体１０１は省略している。
【０１１８】
発光素子基板２０１には、位置検出用発光素子２０７ａ及び位置検出用受光素子２０７ｂが対で設けられている。図１２の場合、位置検出用発光素子２０７ａと位置検出用受光素子２０７ｂとは、シャフト穴２０７を中心として対称に配置されており、１８０°離隔している。位置検出用発光素子２０７ａは例えば赤外線発光素子からなり、位置検出用受光素子２０７ｂは例えば赤外線受光素子からなる。その他、位置検出用発光素子２０７ａを上述の発光素子２０３と同様のＬＥＤから構成し、位置検出用受光素子２０７ｂをＬＥＤからの光を受光可能な受光素子から構成しても良い。ただし、位置検出用発光素子２０７ａを赤外線発光素子で構成し、電飾用の発光素子２０３を構成するＬＥＤとは異なる発光素子とすることで、各発光素子からの光の波長を異ならせることができる。よって、位置検出用受光素子２０７ｂが、電飾用の発光素子２０３からの光を位置検出用発光素子２０７ａからの光と誤検出してしまうのを抑制できる。
【０１１９】
位置検出用導光体１０６は、図１２（ｃ）に示すように位置検出用発光素子２０７ａ及び位置検出用受光素子２０７ｂそれぞれに一端１０６ａ及び他端１０６ｂが対応するように、導光体支持部１０２に固定されている。また、位置検出用導光体１０６は、シャフト３３０が位置検出用導光体１０６のシャフト穴１０３を貫通可能なように、図１２（ａ）に示すように導光体支持部１０２上にシャフト穴１０３を避けるように湾曲して配置されている。
【０１２０】
図１３は、図１２の位置検出ユニットにおいて、位置検出用導光体１０６、位置検出用発光素子２０７ａ及び位置検出用受光素子２０７ｂの関係を時系列に示す説明図である。ここで、図１２（ａ）に示すように、導光体支持部１０２を含む導光体ユニット１００はシャフト３３０の回転に同期して連続回転している。一方、発光素子基板２０１を含む発光素子ユニット２００は、図１２（ｂ）に示すように４０°の往復回転をしている。ただし、図１３では、簡単のために発光素子基板２０１を固定している。
【０１２１】
図１２（ａ）の状態から導光体ユニット１００が回転することで、位置検出用導光体１０６は位置検出用発光素子２０７ａ及び位置検出用受光素子２０７ｂに対して図１３（ａ）のように位置する。さらに、導光体ユニット１００が回転して位置検出用導光体１０６が図１３（ｂ）の位置に回転すると、位置検出用導光体１０６の他端１０６ｂが位置検出用発光素子２０７ａの直上に位置し、かつ、位置検出用導光体１０６の一端１０６ａが位置検出用受光素子２０７ｂの直上に位置する。これにより、位置検出用導光体１０６の他端１０６ｂで受光された位置検出用発光素子２０７ａからの光は、位置検出用導光体１０６の一端１０６ａに導かれ、位置検出用受光素子２０７ｂに出射される。さらに、導光体ユニット１００が回転して位置検出用導光体１０６が図１３（ｃ）を経て図１３（ｄ）の位置に回転すると、位置検出用導光体１０６の一端１０６ａが位置検出用発光素子２０７ａの直上に位置し、かつ、位置検出用導光体１０６の他端１０６ｂが位置検出用受光素子２０７ｂの直上に位置する。これにより、位置検出用導光体１０６の一端１０６ａで受光された位置検出用発光素子２０７ａからの光は、位置検出用導光体１０６の他端１０６ｂに導かれ、位置検出用受光素子２０７ｂに出射される。
【０１２２】
よって、位置検出用受光素子２０７ｂが光を受光したことに基づいて、導光体ユニット１００の初期位置からの回転角度及び導光体ユニット１００と発光素子ユニット２００との位置関係などを把握することができる。この位置関係に基づいて各発光素子２０３の点灯制御を行うことで、各導光体１０１から出射される光をそれぞれ個別に制御することができる。例えば位置検出用受光素子２０７ｂが光を受光した時に、一の発光素子２０３の直上に一の導光体１０１が位置するように予め設定されているとする。位置検出用受光素子２０７ｂが光を受光したタイミングで、一の発光素子２０３を所望の色で発光させることで、一の導光体１０１の他端から出力される出射光の色及び発光タイミングを制御することができる。
【０１２３】
また、モータ４０１の回転が例えば外力の影響を受けて変動すると、各発光素子２０３の点灯タイミングと、導光体ユニット１００を回転させて各発光素子２０３の直上に導光体１０１を位置させるタイミングと、を一致させることができなくなる。このような場合でも、検出した位置関係を元にモータ４０１の回転を制御し、また発光素子の点灯タイミングを制御することで、前述の各タイミングを一致させることができる。さらに、位置検出用受光素子２０７ｂが光を受光した時を初期位置に設定しておけば、導光体ユニット１００及び発光素子ユニット２００を容易に初期位置に戻すことができる。
【０１２４】
（４−２）位置検出ユニットの第２の例
上記図１２及び図１３では、位置検出用受光素子２０７ｂが１８０°ごとに位置検出用発光素子２０７ａからの光を受光して、導光体ユニット１００及び発光素子ユニット２００の位置を検出する。しかし、位置検出の間隔はこれに限定されず、例えば導光体ユニット１００が９０°回転するたびに位置検出が行われても良いし、図１４に示すように導光体ユニット１００が３６０°回転するたびに位置検出が行われても良い。
【０１２５】
図１４は、別の位置検出ユニットの構成図であり、同図（ａ）は導光体支持部１０２の正面図、同図（ｂ）は発光素子基板２０１の正面図、同図（ｃ）は導光体支持部１０２及び発光素子基板２０１の同図（ｂ）のＬ−Ｌでの断面図である。図１４（ａ）では簡単のために電飾用の導光体１０１は省略している。図１５は、図１４の位置検出ユニットにおいて、位置検出用導光体１０６、位置検出用発光素子２０７ａ及び位置検出用受光素子２０７ｂの関係を時系列に示す説明図である。図１２、図１３と重複する説明は省略して説明する。
【０１２６】
図１４の場合もまた、発光素子基板２０１には、位置検出用発光素子２０７ａ及び位置検出用受光素子２０７ｂが対で設けられている。しかし、図１２の場合とは異なり、位置検出用発光素子２０７ａ及び位置検出用受光素子２０７ｂは発光素子基板２０１の中央部から離れた位置に設けられている。また、図１４に示すように、位置検出用受光素子２０７ｂが電飾用の発光素子２０３からの光を、位置検出用発光素子２０７ａからの光として誤検出するのを防止するための遮光板２０８を設けても良い。よって、位置検出用発光素子２０７ａを電飾用の発光素子２０３と同じＬＥＤから構成した場合でも、位置検出用受光素子２０７ｂが、電飾用の発光素子２０３からの光を位置検出用発光素子２０７ａからの光と誤検出してしまうのを抑制できる。また、誤検出を阻止できれば良く、遮光板２０８を設ける位置は図１４の位置に限定されない。また、誤検出が生じない場合は遮光板２０８を必ずしも設ける必要は無い。
【０１２７】
図１４（ａ）の状態から導光体ユニット１００が回転することで、位置検出用導光体１０６は位置検出用発光素子２０７ａ及び位置検出用受光素子２０７ｂに対して図１５（ａ）〜図１５（ｃ）のように順に位置する。さらに、導光体ユニット１００が回転して位置検出用導光体１０６が図１５（ｄ）の位置に回転して再び図１４（ａ）の状態の状態に戻ると、位置検出用導光体１０６の一端１０６ａが位置検出用発光素子２０７ａの直上に位置し、かつ、位置検出用導光体１０６の他端１０６ｂが位置検出用受光素子２０７ｂの直上に位置する。これにより、位置検出用導光体１０６の一端１０６ａで受光された位置検出用発光素子２０７ａからの光は、位置検出用導光体１０６の他端１０６ｂに導かれ、位置検出用受光素子２０７ｂに出射される。
【０１２８】
よって、図１４及び図１５の構成によっても図１２及び図１３と同様に、各ユニットの位置関係を把握して各導光体１０１から出射される光をそれぞれ個別に制御し、また各ユニットを初期位置に戻すことができる。
【０１２９】
（５）変形例
上記実施形態例では、発光構造物１の発光素子基板２０１、基板固定板２０２等は円形状に形成されているが、円形状に限定されず、例えば三角形状、四角形状などの様々な形状であっても良い。
【０１３０】
上記実施形態例では、モータ４０１の回転軸４０２が反時計回りに回転しており、導光体ユニット１００等は反時計回りに回転する。しかし、回転軸４０２が時計回りに回転し、導光体ユニット１００等が時計回りに回転しても良い。
【０１３１】
（６）パチンコ遊技機への適用例
上記実施形態例の発光構造物１は、電飾としてあらゆる場面に使用可能であるが、例えば一例であるが、パチンコ遊技機の部材の１つとして用いることができる。以下に、本実施形態例に係る発光構造物１を用いたパチンコ遊技機１０について説明する。
【０１３２】
（６−１）パチンコ遊技機の外観構成
まずパチンコ遊技機１０の外観構成について説明する。図１６はパチンコ遊技機の正面図である。
【０１３３】
図１６においてパチンコ遊技機１０は、例えば、遊技盤１１、遊技球を発射する発射ハンドル１２と、発射された遊技球を遊技盤１１内に導入するレール１３と、を有している。発射ハンドル１２は、遊技球を１個ずつ発射でき、例えば１分間に発射できる遊技球が１００個を超えないように制御されている。
【０１３４】
また、遊技盤１には、遊技球が入球する入賞口が複数箇所に配置されており、いずれの入賞口にも入球しなかった遊技球を遊技盤１１から排出する為のアウト口１７が遊技盤１１の最下部に配置されている。ここで、入賞口とは、遊技球が入球することで所定の得点や所定数の賞球を獲得させる入賞を付与する入球口をいう。賞球とは、入賞により獲得可能な遊技球のことをいう。
【０１３５】
入賞口としては、始動入賞口１４、通常入賞口１５Ｌ、１５Ｒ及び大入賞口１６が設けられている。始動入賞口１４に遊技球が入球すると始動入賞に当選し、図柄の変動を伴う当否抽選が開始される。さらに、当否抽選の結果において当選すると大当たり遊技が開始し、所定時間に亘って大入賞口１６が開状態となるラウンド遊技が所定回数繰り返される。遊技者は、大入賞口１６に遊技球を入球させることで、より多くの賞球を獲得可能となる。なお、大入賞口１６は例えば遊技盤１１の下部に配置されている。
【０１３６】
また、遊技盤１１には、始動入賞口１４の遊技球の入球に基づいて行う抽選結果を、図柄の大きさ、形状、色などを変化させる図柄変動表示を行う液晶表示装置１８と、図柄変動表示中等で次の結果表示を行えない場合に一時的に抽選結果を記憶できるようにし、記憶している数（図柄変動権数Ｎ、Ｎは０以上の整数である。）を表示するための図柄変動権数表示装置１９と、が設けられている。なお、記憶できる数の上限を例えば４個までとし、図柄変動権数表示装置１９は４つのＬＥＤ表示器を配置し、記憶している数分のＬＥＤを点灯することで報知する。なお、図柄とは文字、図形、記号、色彩若しくはこれらの結合をいう。また、液晶表示装置１８では、図柄の変動表示に限らず、大当たり時のアニメーション、ハズレ時のアニメーションといった複数の演出を抽選結果に応じて表示することも可能である。
【０１３７】
また、遊技盤１１には、例えば右側に上記発光構造物１が設けられており、例えば遊技の進行に応じて各種電飾を行う。例えば一例であるが、大当たり遊技の開始を予感させるようなリーチ演出及び予告演出の際に発光構造物１による電飾を行う。
【０１３８】
（６−２）ハードウェア構成
図１７は、パチンコ遊技機のハードウェア構成の一例を示すブロック図である。
【０１３９】
パチンコ遊技機１０は、例えば、パチンコ遊技機１０で実行されるゲームの主たる制御を行うメイン制御基板１０Ａ、貸出球や賞球の払出制御を行う払出制御基板１０Ｂ、発射ハンドル１２による遊技球の発射制御を行う発射装置制御基板１０Ｃ、球の貸し出しを行う貸出制御基板１０Ｄ、画像表示や音の演出の制御を行うサブ制御基板１０Ｅ、発光構造物１の一部となり得る役物基板１０Ｆ及び液晶表示装置１８における表示制御を行う表示制御基板１０Ｇを含む。以下に、各ハードウェア構成について説明する。
【０１４０】
（ａ）メイン制御基板
メイン制御基板１０Ａは、第１クロック発生回路３０、第２クロック発生回路３１、ＲＯＭ（Read-Only Memory）３２、ＲＡＭ（Random-Access Memory）３３、データ送出回路３４、ＣＰＵ（Central Processing Unit）３５及び入出力ポート３６を含む。
【０１４１】
ＲＯＭ３２は、パチンコ遊技機１０でのゲームの主たる制御を行うための各種プログラムを記憶する。例えば、サブ制御基板１０Ｅに各種演出の実行を指示する指示プログラムなどが含まれる。
【０１４２】
第１クロック発生回路３０及び第２クロック発生回路３１は、それぞれ異なる周期のクロック信号を生成する。
【０１４３】
入出力ポート３６は、メイン制御基板１０Ａと、例えば入賞口に設けられた各種センサと、の間でデータの送受信を行う。
【０１４４】
データ送出回路３４は、メイン制御基板１０Ａから払出制御基板１０Ｂ及びサブ制御基板１０Ｅへのデータの送出を制御する。
【０１４５】
ＣＰＵ３５は、上記各種処理に係る各種プログラムをＲＯＭ３２から読出してＲＡＭ３３に展開し、所定のクロック信号に基づいて実行する
（ｂ）払出制御基板、発射装置制御基板及び貸出制御基板
貸出制御基板１０Ｄは、遊技者が遊技球の貸し出しを行うカードをカード式球貸機に挿入すると、遊技球の貸出コマンドを払出制御基板１０Ｂに送出する。払出制御基板１０Ｂは、貸出制御基板１０Ｄからの貸出コマンドを受信すると、球送出しモータ２１を駆動させ、遊技球を貸し出す。
【０１４６】
また、払出制御基板１０Ｂは、メイン制御基板１０Ａからの賞球払出コマンドを、データ送出回路３４を介して受信する。ここで、賞球払出コマンドとは、パチンコ遊技機１０でのゲーム結果に応じて遊技球を払い出すためのコマンドである。そして、払出制御基板１０Ｂは、球送出しモータ２１を駆動させて所定数の遊技球を払い出す。このとき、払出制御基板１０Ｂは、球払出検知センサ２０によりカウントされた遊技球の払い出し数を受信し、遊技球の払い出し数を管理している。
【０１４７】
遊技者の発射ハンドル１２による操作が発射レバーセンサ１２ａ、タッチセンサ１２ｂにより検知されると、発射装置制御基板１０Ｃはその検知したセンサ情報を受け取り、払出制御基板１０Ｂにそのセンサ情報を送出する。払出制御基板１０Ｂは、そのセンサ情報及びメイン制御基板１０Ａからの遊技球の発射許可・発射禁止コマンドに基づいて、遊技球の発射許可または発射禁止を発射装置制御基板１０Ｃに行う。
【０１４８】
発射装置制御基板１０Ｃは、払出制御基板１０Ｂから発射許可を受けている場合、遊技球発射用モータ１２ｃを駆動することにより所定の間隔で遊技球を遊技盤１１に向けて発射する。発射された遊技球は、発射球検知センサ（図示せず）で検出される。遊技盤１１に到達しないで発射ハンドル１２側に戻ってきた遊技球は、返球検知センサ（図示せず）で検出される。
【０１４９】
（ｃ）サブ制御基板、役物基板、表示制御基板
サブ制御基板１０Ｅは、メイン制御基板１０Ａからデータ送出回路３４を介して各種コマンドを受信し、遊技盤１１に設けられた電飾ＬＥＤの点灯を制御したり、ＢＧＭなどサウンドデータをスピーカ２２から出力する。
【０１５０】
また、サブ制御基板１０Ｅは、液晶表示装置１８の表示制御にかかる表示コマンドを受信した場合には、その表示コマンドを表示制御基板１０Ｇに送出する。表示制御基板１０Ｇは、表示コマンドを受信すると、表示制御基板１０Ｇ内に格納されたプログラムに基づいて液晶表示装置１８での表示を制御する。
【０１５１】
サブ制御基板１０Ｅが、発光構造物１の電飾制御に関するコマンドをメイン制御基板１０Ａから受信した場合には、サブ制御基板１０Ｅ及び／又は役物基板１０Ｆが発光構造物１を制御する。例えば、サブ制御基板１０ＥのＣＰＵ等は、メイン制御基板１０Ａからのコマンドに応じて、役物基板１０Ｆ上の発光素子２０３などの受動素子を制御し発光構造物１を制御する。あるいは、役物基板１０ＦのＣＰＵ等は、サブ制御基板１０Ｅを介して受信したメイン制御基板１０Ａからのコマンドに応じて、役物基板１０Ｆ上の発光素子２０３などの受動素子を制御して発光構造物１を制御する。
【０１５２】
（６−３）サブ制御基板及び役物基板間の接続
サブ制御基板１０Ｅと役物基板１０Ｆとの接続方法としては、一例であるが例えば以下の（ａ）〜（ｃ）の方法が挙げられる。
【０１５３】
（ａ）接続方法１
図１８は、サブ制御基板１０Ｅと役物基板１０Ｆとの接続方法を示す説明図（１）である。
【０１５４】
図１８の場合、役物基板１０Ｆには、発光素子基板２０１上の発光素子２０３、位置検出用発光素子２０７ａ及び位置検出用受光素子２０７ｂなどの受動素子のみが搭載されている。これらの受動素子は、発光構造物１の一部を構成している。また、発光素子２０３であるＬＥＤとしては、ＲＧＢの３色を１セットとして５セット設けられており、合計で１５個設けられている。
【０１５５】
サブ制御基板１０Ｅには、ＣＰＵ４０、モータドライバ４１及び発光素子制御Ｔｒ４２などが搭載されている。ＣＰＵ４０は、メイン制御基板１０Ａからコマンドに基づいて、図示しないＲＯＭから読み出した各種プログラムを実行する。これにより、ＣＰＵ４０は、サブ制御基板１０Ｅのモータドライバ４１及び発光素子制御Ｔｒ４２、役物基板１０Ｆの位置検出用発光素子２０７ａ及び位置検出用受光素子２０７ｂなどを制御する。また、モータドライバ４１は、ＣＰＵ４０からシリアルに入力されたパルスを、４本のパラレル出力に変換してモータ４０１に提供する。発光素子制御Ｔｒ４２は、１５個のＬＥＤを制御するための１５ビットの制御信号をＣＰＵ４０から受信し、各発光素子２０３の発光タイミング及び色を制御する。
【０１５６】
このような制御により、発光素子２０３から出射された光は、導光体ユニット１００の電飾用の導光体１０１に出力されて電飾として用いられる。また、位置検出用発光素子２０７ａから出射された光は、導光体ユニット１００の位置検出用導光体１０６の一端に受光されると、一端から他端に伝達されて位置検出用受光素子２０７ｂに受光される。ＣＰＵ４０は、位置検出用受光素子２０７ｂが光を受光したことに基づいて、導光体ユニット１００と発光素子ユニット２００との位置関係などを把握し、各発光素子２０３の点灯制御及び回転制御を行う。これにより、各導光体１０１から出射される光をそれぞれ個別に制御することができる。
【０１５７】
図１８の構成によれば、サブ制御基板１０Ｅに発光構造物１の発光制御及び回転制御等を行うＣＰＵ４０を搭載し、役物基板１０Ｆには受動素子のみを搭載するため、役物基板１０Ｆを安価に構成することができる。
【０１５８】
なお、図１８のサブ制御基板１０Ｅと役物基板１０Ｆとの接続では、電源、ＧＮＤ、位置検出用発光素子２０７ａ及び位置検出用受光素子２０７ｂ用のハーネスが各１本と、モータドライバ４１用のハーネスが４本と、発光素子制御Ｔｒ４２用のハーネスが１５本と、で計２３本のハーネスが用いられている。
【０１５９】
（ｂ）接続方法２
図１９は、サブ制御基板１０Ｅと役物基板１０Ｆとの接続方法を示す説明図（２）である。
【０１６０】
図１９の役物基板１０Ｆには、図１８の役物基板１０Ｆの構成である発光素子２０３、位置検出用発光素子２０７ａ及び位置検出用受光素子２０７ｂに加えて、図１８においてサブ制御基板１０Ｅに搭載されていたモータドライバ４１及び発光素子制御Ｔｒ４２が搭載されている。さらに、役物基板１０Ｆには、発光素子ドライバ４３も搭載されている。
【０１６１】
一方、サブ制御基板１０ＥにはＣＰＵ４０のみが搭載されている。ＣＰＵ４０が役物基板１０Ｆの各部を制御することで、発光構造物１の発光及び回転等が制御される。例えば、役物基板１０Ｆのモータドライバ４１は、サブ制御基板１０ＥのＣＰＵ４０から１本ハーネスを介してシリアル入力されたパルスを、４本のパラレル出力に変換してモータ４０１に提供する。発光素子ドライバ４３は、ＣＰＵ４０から例えば３本のハーネスを介して受信したシリアル信号をパラレル信号に変換し、１５個のＬＥＤを制御するための１５ビットの制御信号を発光素子制御Ｔｒ４２に出力する。その他、発光素子ドライバ４３は、１５ビットの制御信号を例えば４本〜６本のハーネスを介して受信しても良い。発光素子制御Ｔｒ４２は、１５ビットの制御信号を発光素子ドライバ４３から受信し、１５個の各ＬＥＤからなる発光素子２０３の発光タイミング及び色を制御する。また、ＣＰＵ４０は、位置検出用発光素子２０７ａ及び位置検出用受光素子２０７ｂを制御する。ＣＰＵ４０は、位置検出用受光素子２０７ｂが光を受光したことに基づいて、導光体ユニット１００と発光素子ユニット２００との位置関係などを把握し、各発光素子２０３の点灯制御及び回転制御を行う。これにより、各導光体１０１から出射される光をそれぞれ個別に制御することができる。
【０１６２】
図１９の構成によれば、サブ制御基板１０Ｅに発光構造物１の発光制御及び回転制御等を行うＣＰＵ４０を搭載し、役物基板１０Ｆには受動素子のみを搭載するため、サブ制御基板１０Ｅを安価に構成することができる。
【０１６３】
ここで、モータドライバ４１は、ＣＰＵ４０から１本ハーネスを介してパルスがシリアル入力される。よって、サブ制御基板１０ＥのＣＰＵ４０と役物基板１０Ｆのモータドライバ４１とは１本のみのハーネスで接続可能である。また、発光素子ドライバ４３は、１５ビットの制御信号となり得る信号を、ＣＰＵ４０から３本〜６本のハーネスを介してシリアルに受信しており、サブ制御基板１０ＥのＣＰＵ４０と役物基板１０Ｆの発光素子ドライバ４３とは３本〜６本のハーネスのみで接続可能である。よって、図１９のサブ制御基板１０Ｅと役物基板１０Ｆとの接続では、電源、ＧＮＤ、位置検出用発光素子２０７ａ及び位置検出用受光素子２０７ｂ用のハーネスが各１本と、モータドライバ４１用のハーネスが１本と、発光素子ドライバ４３用のハーネスが３本〜６本と、で計８本〜１１本のハーネスが用いられている。そのため、図１８の場合と比較してハーネスの本数を減らすことができる。これにより、多数のハーネスに起因して発光構造物１の回転が阻止されるなどの不具合を抑制することができる。
【０１６４】
（ｃ）接続方法３
図２０は、サブ制御基板１０Ｅと役物基板１０Ｆとの接続方法を示す説明図（３）である。
【０１６５】
図２０の場合、サブ制御基板１０ＥにはＣＰＵ４０が搭載されている。また、図２０の役物基板１０Ｆには、図１９の役物基板１０Ｆに搭載されている発光素子２０３、位置検出用発光素子２０７ａ及び位置検出用受光素子２０７ｂ、モータドライバ４１及び発光素子制御Ｔｒ４２に加えて、ＣＰＵ４４が搭載されている。サブ制御基板１０ＥのＣＰＵ４０が、発光構造物１により実行されるべき演出を役物基板１０ＦのＣＰＵ４４に指定すると、役物基板１０ＦのＣＰＵ４４は指定に基づいた演出を行う。ここで、サブ制御基板１０ＥのＣＰＵ４０と役物基板１０ＦのＣＰＵ４４とは調歩同期方式により通信を行っており、サブ制御基板１０Ｅから役物基板１０Ｆには同期クロックを送信する必要がない。
【０１６６】
役物基板１０ＦのＣＰＵ４４が、役物基板１０Ｆの各部を制御することで、発光構造物１の発光及び回転が制御される。例えば、モータドライバ４１は、ＣＰＵ４４からシリアル入力されたパルスを、４本のパラレル出力に変換してモータ４０１に提供する。発光素子制御Ｔｒ４２は、１５個のＬＥＤを制御するための１５ビットの制御信号をＣＰＵ４４から受信し、１５個のＬＥＤの発光タイミング及び色を制御する。また、ＣＰＵ４４は、位置検出用受光素子２０７ｂが光を受光したことに基づいて、導光体ユニット１００と発光素子ユニット２００との位置関係などを把握し、各発光素子２０３の点灯制御及び回転制御を行う。これにより、各導光体１０１から出射される光をそれぞれ個別に制御することができる。
【０１６７】
ここで、サブ制御基板１０ＥのＣＰＵ４０と役物基板１０ＦのＣＰＵ４４とは調歩同期方式で通信を行っている。この通信が片方向通信である場合にはサブ制御基板１０ＥのＣＰＵ４０と役物基板１０ＦのＣＰＵ４４とを１本のハーネスのみで接続可能である。よって、図２０のサブ制御基板１０Ｅと役物基板１０Ｆとの接続では、電源と、ＧＮＤと、ＣＰＵ４０及びＣＰＵ４４間の接続と、で計３本のハーネスが用いられている。そのため、図１８、図１９の場合と比較してハーネスの本数を大幅に減らすことができる。これにより、多数のハーネスに起因して発光構造物１の回転が阻止されるなどの不具合をさらに抑制することができる。
【産業上の利用可能性】
【０１６８】
本発明は、電飾を必要とするあらゆる筐体等に適用可能である。
【符号の説明】
【０１６９】
１：発光構造物
１００：導光体ユニット      
１０１：導光体
１０２：導光体支持部 
１０３、２０７、３０３、３１３：シャフト穴
１０４、３０４：シャフト係止部     
１０６ ：位置検出用導光体   
２００：発光素子ユニット    
２０１：発光素子基板 
２０２：基板固定板   
２０３：発光素子     
２０７ａ：位置検出用発光素子
２０７ｂ：位置検出用受光素子
２０８：遮光板
３００：回転制御ユニット    
３０１：回転穴付き板 
３０２：回転穴付き板復帰バネ
３０５ａ〜３０５ｄ：スライダーピン挿入穴  
３１０：スライダーピン固定板（支持部材）  
３１１ａ〜３１１ｃ：第１〜第３回転規制溝
３１２ａ、３１２ｂ：スライダーピン固定穴  
３２０：スライダーピン固定板復帰バネ（復帰部材） 
３３０：シャフト     
３４０ａ、３４０ｂ：スライダーピン用バネ  
３５０ａ、３５０ｂ：スライダーピン 
３５１：挿入先端部   
３５２：突出周縁部   
３５３：案内溝スライド部    
３６０：案内溝
３７０ａ〜３７０ｃ：第１〜第３回転規制支柱
３８１：バネ受け部   
３９０：モータ固定板（固定部材）   
４００：駆動ユニット 
４０１：モータ
４０２：回転軸
４１０：ハーネス     
【図１】
2011249066.tif 000003
【図２】
2011249066.tif 000004
【図３】
2011249066.tif 000005
【図４】
2011249066.tif 000006
【図５】
2011249066.tif 000007
【図６】
2011249066.tif 000008
【図７】
2011249066.tif 000009
【図８】
2011249066.tif 000010
【図９】
2011249066.tif 000011
【図１０】
2011249066.tif 000012
【図１１】
2011249066.tif 000013
【図１２】
2011249066.tif 000014
【図１３】
2011249066.tif 000015
【図１４】
2011249066.tif 000016
【図１５】
2011249066.tif 000017
【図１６】
2011249066.tif 000018
【図１７】
2011249066.tif 000019
【図１８】
2011249066.tif 000020
【図１９】
2011249066.tif 000021
【図２０】
2011249066.tif 000022